(57)【要約】【課題】配信先アドレスが記録された幾何学コードを含む画像を送信する場合に、画像を受信した側における配信先アドレスの漏洩を防止する。【解決手段】第１エリアの装置は、画像の送信先アドレスが記録された幾何学コードを含む画像を読み取り、返信先アドレスが記録された幾何学コードを含む画像に置換して第２エリアの装置へ配信する（Ｓ１００）。第２エリアの装置は、識別情報が記録されているが配信先アドレスは記録されていない幾何学コードを含む文書に置換して印刷し配布する（Ｓ１２０）。第２エリアの装置は、配布・回収した文書を読み取って、識別情報が記録されている文書を第１エリアの装置へ送る（Ｓ１４０）。第１エリアの装置は、幾何学コードを含まない文書、または、配信先アドレスが記録されていない幾何学コードを含む文書に置換して印刷する（Ｓ１８１）。【選択図】図５
2010212924.tif 000002
【特許請求の範囲】
【請求項１】
画像の配信先を示す情報が記録された符号画像を含む画像情報を送信する送信部を有する画像送信装置と、
前記画像送信装置から送信される画像情報を受信する受信部と、前記画像情報中の前記符号画像が示す配信先の情報を前記符号画像から取り除いた画像情報を生成する画像情報再生部を有する画像受信装置と、
を備えた画像伝送システム。
【請求項２】
前記画像送信装置は、画像の配信先を示す情報が記録された符号画像を含む画像情報から前記符号画像を抽出し前記符号画像を解析することで前記画像情報の前記配信先を特定する配信先特定部を有する
請求項１に記載の画像伝送システム。
【請求項３】
前記画像受信装置側の通信領域は前記画像送信装置側の通信領域よりも情報漏洩防止性能が劣る
請求項１または２に記載の画像伝送システム。
【請求項４】
第１領域に第１の前記画像送信装置と第１の前記画像受信装置が配置され、
第２領域に第２の前記画像送信装置と第２の前記画像受信装置が配置され、
前記第１領域から画像情報を前記第２領域に配信した後にその画像情報を前記第１領域に返信するように構成されており、
前記第１の画像送信装置は、画像情報を識別する画像識別情報および前記画像情報の返信先である前記第１の画像受信装置の情報が記録された符号画像を含む画像情報を前記第２の画像受信装置に送信し、
前記第２の画像受信装置は、前記画像識別情報が記録されかつ前記画像情報の返信先である前記第１の画像受信装置の情報が記録されていない符号画像を含む画像情報に基づいて出力媒体に画像を出力し、
前記第２の画像送信装置は、前記第２の画像受信装置により出力された画像を取り込んで、少なくとも前記画像識別情報が記録された符号画像を含む画像情報を前記第１の画像受信装置に送信する
請求項１または２に記載の画像伝送システム。
【請求項５】
前記第２領域は前記第１領域よりも情報漏洩防止性能が劣る
請求項４に記載の画像伝送システム。
【請求項６】
前記第１領域には、前記画像識別情報と前記画像情報の返信先である前記第１の画像受信装置の情報を対応付けて管理する第１の配信先情報管理部が配置され、前記第１の画像送信装置と前記第１の画像受信装置は前記第１の配信先情報管理部を共用し、
および／または、
前記第２領域には、前記画像識別情報と前記画像情報の返信先である前記第１の画像受信装置の情報を対応付けて管理する第２の配信先情報管理部が配置され、前記第２の画像受信装置は、符号画像を含む画像情報から前記符号画像を抽出し前記符号画像を解析することで前記画像情報の返信先である前記第１の画像受信装置の情報を特定して前記第２の配信先情報管理部に通知し、前記第２の画像送信装置と前記第２の画像受信装置は前記配信先情報管理部を共用する
請求項４または５に記載の画像伝送システム。
【請求項７】
前記第１の画像送信装置は、前記画像識別情報と前記画像情報の返信先である前記第１の画像受信装置の情報を対応付けて管理する第３の配信先情報管理部を備え、かつ、前記第１の画像受信装置は、前記第１の画像送信装置から前記画像識別情報を取得して、前記画像情報の返信先である前記第１の画像受信装置の情報と対応付けて管理する第４の配信先情報管理部を備え、
および／または、
前記第２の画像受信装置は、符号画像を含む画像情報から前記符号画像を抽出し前記符号画像を解析することで前記画像情報の返信先である前記第１の画像受信装置の情報を特定して前記画像識別情報と対応付けて管理する第５の配信先情報管理部を備え、かつ、前記第２の画像送信装置は、前記第２の画像受信装置から前記画像識別情報と前記画像情報の返信先である前記第１の画像受信装置の情報を取得しそれらを対応付けて管理する第６の配信先情報管理部を備える
請求項４または５に記載の画像伝送システム。
【請求項８】
前記第２の画像送信装置は、自身および／または前記画像情報の返信先である前記第１の画像受信装置の情報が記録されていない符号画像を含む画像情報を前記第１の画像受信装置に送信する
請求項４〜７の内の何れか一項に記載の画像伝送システム。
【請求項９】
前記画像情報の伝送を中継する画像中継装置を備え、
前記画像送信装置は、画像情報を識別する画像識別情報および前記画像情報の送信先である前記画像受信装置の情報が記録された符号画像を含む画像情報を前記画像中継装置に送信し、
前記画像中継装置は、第７の配信先情報管理部を有し、前記画像送信装置から送信される画像情報を受信し、符号画像を含む画像情報から前記符号画像を抽出し前記符号画像を解析することで前記画像識別情報と前記画像情報の送信先である前記画像受信装置の情報を特定して前記第７の配信先情報管理部にて管理し、前記画像情報中の前記符号画像が示す送信先である前記画像受信装置の情報を前記符号画像から取り除いた画像情報を生成して前記画像受信装置へ送信する
請求項１〜３の内の何れか一項に記載の画像伝送システム。
【請求項１０】
前記画像受信装置側の通信領域は前記画像送信装置側の通信領域よりも情報漏洩防止性能が劣る
請求項９に記載の画像伝送システム。
【請求項１１】
前記画像情報の伝送を中継する画像中継装置を備え、
前記第１の画像送信装置は、画像情報を識別する画像識別情報、前記画像情報の返信先である前記第１の画像受信装置の情報、および前記画像情報の送信先である前記第２の画像受信装置の情報が記録された符号画像を含む画像情報を前記画像中継装置に送信し、
前記画像中継装置は、第７の配信先情報管理部を有し、前記第１の画像送信装置から送信される画像情報を受信し、符号画像を含む画像情報から前記符号画像を抽出し前記符号画像を解析することで前記画像識別情報と前記画像情報の返信先である前記第１の画像受信装置の情報と前記画像情報の送信先である前記第２の画像受信装置の情報を特定して前記第７の配信先情報管理部にて管理し、前記画像情報中の前記符号画像が示す送信先と返信先の情報を前記符号画像から取り除いた画像情報を生成して前記第２の画像受信装置へ送信し、前記第２の画像送信装置から送信される画像情報を受信し、符号画像を含む画像情報から前記符号画像を抽出し前記符号画像を解析することで前記画像識別情報を取得し、この画像識別情報に基づき前記第７の配信先情報管理部から画像情報の返信先である前記第１の画像受信装置の情報を取得して、前記画像識別情報が記録された符号画像を含む画像情報生成して前記第１の画像受信装置に送信する
請求項４〜８の内の何れか一項に記載の画像伝送システム。
【請求項１２】
前記第２領域は前記第１領域および前記画像中継装置の領域よりも情報漏洩防止性能が劣る
請求項１１に記載の画像伝送システム。
【請求項１３】
前記画像中継装置は、前記第２の画像送信装置から画像情報を受信すると、前記画像情報の返信先である前記第１の画像受信装置の情報および／または前記画像情報の送信先である前記第２の画像受信装置の情報が記録されていない符号画像を含む画像情報を生成して前記第１の画像受信装置に送信する
請求項１１または１２に記載の画像伝送システム。
【請求項１４】
符号画像を含む画像情報を送信および／または受信する通信処理部と、
前記画像情報中の前記符号画像が示す配信先の情報を前記符号画像から取り除いた新しい画像情報を生成する画像情報再生部と、
を備え、
前記画像情報再生部は、
前記画像情報から前記符号画像を消去する符号画像消去部と、
前記画像情報中の前記符号画像とは異なる新しい符号画像を生成する符号画像生成部と、
前記符号画像消去部により前記符号画像が消去された画像情報と、前記符号画像生成部で生成された新しい符号画像に基づき前記新しい画像情報を生成する画像編集部と、
を有する
画像通信装置。
【請求項１５】
画像の配信先を示す情報が記録された符号画像を含む画像情報から前記符号画像を抽出する符号画像抽出部および前記符号画像抽出部が抽出した前記符号画像を解析する符号画像解析部を具備し、前記画像情報の前記配信先を特定する配信先特定部
をさらに備えた請求項１４に記載の画像通信装置。
【請求項１６】
画像情報を識別する画像識別情報と画像の配信先を示す情報を対応付けて管理する配信先情報管理部
をさらに備えた請求項１４または１５に記載の画像通信装置。
【請求項１７】
前記配信先情報管理部は、前記画像識別情報と画像の返信先を示す情報を対応付けた管理テーブルを格納する管理テーブル格納部を有する
請求項１６に記載の画像通信装置。
【請求項１８】
前記配信先情報管理部は、さらに、前記画像識別情報と画像の送信先および／または中継先を示す情報を対応付けた管理テーブルを前記管理テーブル格納部に格納する
請求項１７に記載の画像通信装置。
【請求項１９】
符号画像を含む画像情報を送信および／または受信する通信処理工程と、
前記画像情報から前記符号画像を消去する符号画像消去工程と、
前記画像情報中の前記符号画像とは異なる新しい符号画像を生成する符号画像生成工程と、
前記符号画像消去工程により前記符号画像が消去された画像情報と、前記符号画像生成工程で生成された新しい符号画像に基づき前記新しい画像情報を生成する画像編集工程と、
を電子計算機に実行させるプログラム。
【請求項２０】
画像の配信先を示す情報が記録された符号画像を含む画像情報から前記符号画像を抽出する符号画像抽出工程と、
前記符号画像抽出工程で抽出した前記符号画像を解析する符号画像解析工程と、
前記符号画像解析工程で解析された結果に基づき、前記画像情報の前記配信先を特定する配信先特定工程と、
を電子計算機に実行させる請求項１９に記載のプログラム。
【発明の詳細な説明】
【技術分野】
【０００１】
本発明は、画像伝送システム、画像通信装置、プログラムに関する。
【背景技術】
【０００２】
一方の機器から他方の機器へ通信手段を介して画像を伝送する仕組みがある。たとえば、スキャナで画像を取り込み、その画像をネットワークを介してプリンタに伝送するのが一例である。
【０００３】
たとえば、特許文献１には、ネットワークを介して接続されたスキャナとある特定のプリンタとの間の画像データ伝送を簡単な操作で行なえるようにする仕組みが提案されている。たとえば、画像出力装置のネットワーク上でのアドレス情報が光学的読み取り手段で読み取ることができるような形態で記録されたアドレス情報記録片を作成する。画像入力装置では、画像出力装置に送信すべき画像データの余白部にアドレス情報記録片を重ね合わせた状態で画像データの読み取りを行なうことによって、送信すべき画像データを読み取る。そのとき、アドレス情報記録片に記録されたアドレス情報も読み取り、その読み取ったアドレス情報を持つ画像出力装置宛に画像データを送信する。
【先行技術文献】
【特許文献】
【０００４】
【特許文献１】特開２００４−２４２０２７号公報
【発明の概要】
【発明が解決しようとする課題】
【０００５】
本発明は、画像の配信先を示す情報が記録された符号画像を含む画像情報を送信する場合に、画像情報を受信した側における画像の配信先を示す情報の漏洩を防止することのできる仕組みを提供することを目的とする。
【課題を解決するための手段】
【０００６】
請求項１に記載の発明は、画像の配信先を示す情報が記録された符号画像を含む画像情報を送信する送信部を有する画像送信装置と、前記画像送信装置から送信される画像情報を受信する受信部と、前記画像情報中の前記符号画像が示す配信先の情報を前記符号画像から取り除いた画像情報を生成する画像情報再生部を有する画像受信装置と、を備えた画像伝送システムである。
【０００７】
請求項２に記載の発明は、請求項１に記載の発明において、前記画像送信装置は、画像の配信先を示す情報が記録された符号画像を含む画像情報から前記符号画像を抽出し前記符号画像を解析することで前記画像情報の前記配信先を特定する配信先特定部を有する。
【０００８】
請求項３に記載の発明は、請求項１または２に記載の発明において、前記画像受信装置側の通信領域は前記画像送信装置側の通信領域よりも情報漏洩防止性能が劣る。
【０００９】
請求項４に記載の発明は、請求項１または２に記載の発明において、第１領域に第１の前記画像送信装置と第１の前記画像受信装置が配置され、第２領域に第２の前記画像送信装置と第２の前記画像受信装置が配置され、前記第１領域から画像情報を前記第２領域に配信した後にその画像情報を前記第１領域に返信するように構成されており、前記第１の画像送信装置は、画像情報を識別する画像識別情報および前記画像情報の返信先である前記第１の画像受信装置の情報が記録された符号画像を含む画像情報を前記第２の画像受信装置に送信し、前記第２の画像受信装置は、前記画像識別情報が記録されかつ前記画像情報の返信先である前記第１の画像受信装置の情報が記録されていない符号画像を含む画像情報に基づいて出力媒体に画像を出力し、前記第２の画像送信装置は、前記第２の画像受信装置により出力された画像を取り込んで、少なくとも前記画像識別情報が記録された符号画像を含む画像情報を前記第１の画像受信装置に送信する。
【００１０】
請求項５に記載の発明は、請求項４に記載の発明において、前記第２領域は前記第１領域よりも情報漏洩防止性能が劣る。
【００１１】
請求項６に記載の発明は、請求項４または５に記載の発明において、前記第１領域には、前記画像識別情報と前記画像情報の返信先である前記第１の画像受信装置の情報を対応付けて管理する第１の配信先情報管理部が配置され、かつ、前記第１の画像送信装置と前記第１の画像受信装置は前記第１の配信先情報管理部を共用し、および／または、前記第２領域には、前記画像識別情報と前記画像情報の返信先である前記第１の画像受信装置の情報を対応付けて管理する第２の配信先情報管理部が配置され、かつ、前記第２の画像受信装置は、符号画像を含む画像情報から前記符号画像を抽出し前記符号画像を解析することで前記画像情報の返信先である前記第１の画像受信装置の情報を特定して前記第２の配信先情報管理部に通知し、前記第２の画像送信装置と前記第２の画像受信装置は前記配信先情報管理部を共用する。
【００１２】
請求項７に記載の発明は、請求項４または５に記載の発明において、前記第１の画像送信装置は、前記画像識別情報と前記画像情報の返信先である前記第１の画像受信装置の情報を対応付けて管理する第３の配信先情報管理部を備え、かつ、前記第１の画像受信装置は、前記第１の画像送信装置から前記画像識別情報を取得して、前記画像情報の返信先である前記第１の画像受信装置の情報と対応付けて管理する第４の配信先情報管理部を備え、および／または、前記第２の画像受信装置は、符号画像を含む画像情報から前記符号画像を抽出し前記符号画像を解析することで前記画像情報の返信先である前記第１の画像受信装置の情報を特定して前記画像識別情報と対応付けて管理する第５の配信先情報管理部を備え、かつ、前記第２の画像送信装置は、前記第２の画像受信装置から前記画像識別情報と前記画像情報の返信先である前記第１の画像受信装置の情報を取得しそれらを対応付けて管理する第６の配信先情報管理部を備える。
【００１３】
請求項８に記載の発明は、請求項４〜７の内の何れか一項に記載の発明において、前記第２の画像送信装置は、自身および／または前記画像情報の返信先である前記第１の画像受信装置の情報が記録されていない符号画像を含む画像情報を前記第１の画像受信装置に送信する。
【００１４】
請求項９に記載の発明は、請求項１〜３の内の何れか一項に記載の発明において、前記画像情報の伝送を中継する画像中継装置を備え、前記画像送信装置は、画像情報を識別する画像識別情報および前記画像情報の送信先である前記画像受信装置の情報が記録された符号画像を含む画像情報を前記画像中継装置に送信し、前記画像中継装置は、第７の配信先情報管理部を有し、前記画像送信装置から送信される画像情報を受信し、符号画像を含む画像情報から前記符号画像を抽出し前記符号画像を解析することで前記画像識別情報と前記画像情報の送信先である前記画像受信装置の情報を特定して前記第７の配信先情報管理部にて管理し、前記画像情報中の前記符号画像が示す送信先である前記画像受信装置の情報を前記符号画像から取り除いた画像情報を生成して前記画像受信装置へ送信する。
【００１５】
請求項１０に記載の発明は、請求項９に記載の発明において、前記画像受信装置側の通信領域は前記画像送信装置側の通信領域よりも情報漏洩防止性能が劣る。
【００１６】
請求項１１に記載の発明は、請求項４〜８の内の何れか一項に記載の発明において、前記画像情報の伝送を中継する画像中継装置を備え、前記第１の画像送信装置は、画像情報を識別する画像識別情報、前記画像情報の返信先である前記第１の画像受信装置の情報、および前記画像情報の送信先である前記第２の画像受信装置の情報が記録された符号画像を含む画像情報を前記画像中継装置に送信し、前記画像中継装置は、第７の配信先情報管理部を有し、前記第１の画像送信装置から送信される画像情報を受信し、符号画像を含む画像情報から前記符号画像を抽出し前記符号画像を解析することで前記画像識別情報と前記画像情報の返信先である前記第１の画像受信装置の情報と前記画像情報の送信先である前記第２の画像受信装置の情報を特定して前記第７の配信先情報管理部にて管理し、前記画像情報中の前記符号画像が示す送信先と返信先の情報を前記符号画像から取り除いた画像情報を生成して前記第２の画像受信装置へ送信し、前記第２の画像送信装置から送信される画像情報を受信し、符号画像を含む画像情報から前記符号画像を抽出し前記符号画像を解析することで前記画像識別情報を取得し、この画像識別情報に基づき前記第７の配信先情報管理部から画像情報の返信先である前記第１の画像受信装置の情報を取得して、前記画像識別情報が記録された符号画像を含む画像情報生成して前記第１の画像受信装置に送信する。
【００１７】
請求項１２に記載の発明は、請求項１１に記載の発明において、前記第２領域は前記第１領域および前記画像中継装置の領域よりも情報漏洩防止性能が劣る。
【００１８】
請求項１３に記載の発明は、請求項１１または１２に記載の発明において、前記画像中継装置は、前記第２の画像送信装置から画像情報を受信すると、前記画像情報の返信先である前記第１の画像受信装置の情報および／または前記画像情報の送信先である前記第２の画像受信装置の情報が記録されていない符号画像を含む画像情報を生成して前記第１の画像受信装置に送信する。
【００１９】
請求項１４に記載の発明は、符号画像を含む画像情報を送信および／または受信する通信処理部と、前記画像情報中の前記符号画像が示す配信先の情報を前記符号画像から取り除いた新しい画像情報を生成する画像情報再生部と、を備え、前記画像情報再生部は、前記画像情報から前記符号画像を消去する符号画像消去部と、前記画像情報中の前記符号画像とは異なる新しい符号画像を生成する符号画像生成部と、前記符号画像消去部により前記符号画像が消去された画像情報と、前記符号画像生成部で生成された新しい符号画像に基づき前記新しい画像情報を生成する画像編集部と、を有する画像通信装置である。
【００２０】
請求項１５に記載の発明は、請求項１４に記載の発明において、画像の配信先を示す情報が記録された符号画像を含む画像情報から前記符号画像を抽出する符号画像抽出部および前記符号画像抽出部が抽出した前記符号画像を解析する符号画像解析部を具備し、前記画像情報の前記配信先を特定する配信先特定部をさらに備えている。
【００２１】
請求項１６に記載の発明は、請求項１４または１５に記載の発明において、画像情報を識別する画像識別情報と画像の配信先を示す情報を対応付けて管理する配信先情報管理部をさらに備えている。
【００２２】
請求項１７に記載の発明は、請求項１６に記載の発明において、前記配信先情報管理部は、前記画像識別情報と画像の返信先を示す情報を対応付けた管理テーブルを格納する管理テーブル格納部を有する。
【００２３】
請求項１８に記載の発明は、請求項１７に記載の発明において、前記配信先情報管理部は、さらに、前記画像識別情報と画像の送信先および／または中継先を示す情報を対応付けた管理テーブルを前記管理テーブル格納部に格納する。
【００２４】
請求項１９に記載の発明は、符号画像を含む画像情報を送信および／または受信する通信処理工程と、前記画像情報から前記符号画像を消去する符号画像消去工程と、前記画像情報中の前記符号画像とは異なる新しい符号画像を生成する符号画像生成工程と、前記符号画像消去工程により前記符号画像が消去された画像情報と、前記符号画像生成工程で生成された新しい符号画像に基づき前記新しい画像情報を生成する画像編集工程と、を電子計算機に実行させるプログラムである。
【００２５】
請求項２０に記載の発明は、請求項１９に記載の発明において、画像の配信先を示す情報が記録された符号画像を含む画像情報から前記符号画像を抽出する符号画像抽出工程と、前記符号画像抽出工程で抽出した前記符号画像を解析する符号画像解析工程と、前記符号画像解析工程で解析された結果に基づき、前記画像情報の前記配信先を特定する配信先特定工程と、を電子計算機に実行させる。
【発明の効果】
【００２６】
請求項１，４，１９に記載の発明によれば、画像の配信先を示す情報が記録された符号画像を含む画像情報を送信する場合において、画像情報を受信した側で符号画像を含む画像情報を出力媒体に出力する場合でも、配信先における、画像の配信先を示す情報の漏洩を防止することができる。
【００２７】
請求項２，１５，２０に記載の発明によれば、画像情報を配信する際に、配信先の設定などの面倒な操作を行なうことなく、自動的に配信先が設定される。
【００２８】
請求項３に記載の発明によれば、画像受信装置側の情報漏洩防止性能が画像送信装置側より劣る場合においても、配信先における、画像の配信先を示す情報の漏洩を防止することができる。
【００２９】
請求項４に記載の発明によれば、配信した画像情報を回収する場合においても、配信先における、画像の配信先を示す情報の漏洩を防止することができる。
【００３０】
請求項５に記載の発明によれば、配信先の情報漏洩防止性能が劣る場合においても、配信先における、画像の配信先を示す情報の漏洩を防止することができる。
【００３１】
請求項６，７，１６，１７に記載の発明によれば、回収先（返信先）の設定などの面倒な操作を行なうことなく、自動的に回収先が設定される。
【００３２】
請求項６，７に記載の発明を比較した場合、請求項６に記載の発明の方が簡易な構成になる。
【００３３】
請求項８に記載の発明によれば、画像情報を返信先に送信する過程における、画像の配信先を示す情報の漏洩を防止することができる。
【００３４】
請求項９に記載の発明によれば、画像中継装置から第２の画像受信装置に画像情報を送信する過程における、画像の配信先を示す情報の漏洩を防止することができる。
【００３５】
請求項１０に記載の発明によれば、画像受信装置側の情報漏洩防止性能が、画像送信装置側や画像中継装置側より劣る場合においても、配信先における、画像の配信先を示す情報の漏洩を防止することができる。
【００３６】
請求項１１に記載の発明によれば、画像中継装置を介して配信した画像情報を画像中継装置を介して回収する場合においても、配信先における、画像の配信先を示す情報の漏洩を防止することができる。
【００３７】
請求項１２に記載の発明によれば、第２領域側の情報漏洩防止性能が、第１領域側や画像中継装置側より劣る場合においても、配信先における、画像の配信先を示す情報の漏洩を防止することができる。
【００３８】
請求項１３に記載の発明によれば、画像中継装置から画像情報を返信先である第１領域側に送信する過程における、画像の配信先を示す情報の漏洩を防止することができる。
【００３９】
請求項１８に記載の発明によれば、自分が送信した相手（送信先や中継先）から戻ってきた文書かどうかを判定することで不明な宛先からの不正利用を防止することができる。
【図面の簡単な説明】
【００４０】
【図１】画像伝送システムの第１実施形態を示す図である。
【図２】第１実施形態の画像送信装置の構成例を示す図である。
【図３】第１実施形態の画像受信装置の構成例を示す図である。
【図４】第１実施形態の画像送受信装置の構成例を示す図である。
【図５】第１実施形態の画像伝送システムの全体の処理手順を説明するフローチャートである。
【図５Ａ】文書配信処理のフローチャートである。
【図５Ｂ】文書配布処理のフローチャートである。
【図５Ｃ】文書回収処理のフローチャートである。
【図５Ｄ】文書出力処理のフローチャートである。
【図６】第１実施形態の適用例のシステム構成を説明する図である。
【図６Ａ】適用システムで使用される文書（紙媒体）の一例を示す図である。
【図６Ｂ】アドレス管理テーブルの一例を説明する図である。
【図７】文書配信処理と文書配布処理を適用システムとの対応で示した図である。
【図７Ａ】文書回収処理と文書出力処理を適用システムとの対応で示した図である。
【図８】画像伝送システムの第２実施形態を示す図である。
【図９】第２実施形態の画像送信装置の構成例を示す図である。
【図１０】第２実施形態の画像送受信装置の構成例を示す図である。
【図１１】第２実施形態の画像中継装置の構成例を示す図である。
【図１１Ａ】文書中継処理のフローチャートである。
【図１２】第２実施形態の画像伝送システムの全体の処理手順を説明するフローチャートである。
【図１２Ａ】文書配信処理のフローチャートである。
【図１２Ｂ】文書配布処理のフローチャートである。
【図１２Ｃ】文書回収処理のフローチャートである。
【図１２Ｄ】文書出力処理のフローチャートである。
【図１３】第２実施形態の適用例のシステム構成を説明する図である。
【図１３Ａ】適用システムで使用される文書（紙媒体）の一例を示す図である。
【図１３Ｂ】アドレス管理テーブルの一例を説明する図である。
【図１４】文書配信処理、文書中継処理、文書配布処理を、適用システムとの対応で示した図である。
【図１４Ａ】文書回収処理、文書中継処理、文書出力処理を適用システムとの対応で示した図である。
【図１５】画像送信装置、画像中継装置、画像受信装置、画像送受信装置を、電子計算機を利用して構成するときの構成例を示すブロック図である。
【発明を実施するための形態】
【００４１】
以下、図面を参照して本発明の実施形態について詳細に説明する。各機能要素について実施形態別に区別する際には、Ａ，Ｂ…などのように大文字の英語の参照子を付して記載し、特に区別しないで説明する際にはこの参照子を割愛して記載する。図面においても同様である。
【００４２】
＜システム構成：第１実施形態＞
図１は、画像伝送システムの第１実施形態を示す図である。第１実施形態の画像伝送システム１Ａは、画像送信装置３Ａと画像受信装置５Ａと画像送受信装置７Ａが、通信手段の一例である通信網９を介して接続されている。画像送信装置３Ａ、画像受信装置５Ａ、画像送受信装置７Ａを纏めて画像通信装置とも称する。
【００４３】
画像送信装置３Ａ、画像受信装置５Ａ、画像送受信装置７Ａにはそれぞれ、装置のネットワーク上の位置（画像データの送信元や宛先）を特定するアドレス情報が付与される。アドレス情報は、たとえば、装置固有に与えられた管理番号（装置ＩＤ）、ネットワーク上のＩＰ（Internet Protocol ）アドレス、ＭＡＣ（Media Access Control）アドレスなど、ネットワーク上で各装置３，５，７を一意に特定し得るものであればよい。
【００４４】
図では、２つの画像送信装置３Ａ（３Ａ_1，３Ａ_2）と、２つの画像受信装置５Ａ（５Ａ_1，５Ａ_2）と、２つの画像送受信装置７Ａ（７Ａ_1，７Ａ_2）が、通信網９を介して接続されている。
【００４５】
図では、画像送信装置３Ａ_1、画像受信装置５Ａ_1、画像送受信装置７Ａ_1がＬＡＮ（Local Area Network）である第１通信網９_1で接続された第１エリア８_1（第１領域）と、画像送信装置３Ａ_2、画像受信装置５Ａ_2、画像送受信装置７Ａ_2がＬＡＮである第２通信網９_2で接続された第２エリア８_2（第２領域）が、公共通信回線の一例であるインターネットなどの第３通信網９_3で接続されている。
【００４６】
第１エリア８_1側と第２エリア８_2側は、その情報セキュリティ性能（情報漏洩防止性能）が同程度であってもよいが、後述の動作説明においては、第２エリア８_2側は第１エリア８_1側に比べると情報セキュリティ性能が劣っているものとする。
【００４７】
画像送受信装置７Ａは、画像送信装置３Ａと画像受信装置５Ａの両機能を備えるものである。図１との対応では、画像送信装置３Ａ_1と画像受信装置５Ａ_1の機能を纏めたのが画像送受信装置７Ａ_1であり、画像送信装置３Ａ_2と画像受信装置５Ａ_2の機能を纏めたのが画像送受信装置７Ａ_2である。
【００４８】
画像送信装置３Ａとしては、たとえば、原稿を読み取る情報処理（画像入力処理）を行なうものである場合は、少なくとも原稿読取り機能部を備えていればよく、この場合、画像送信装置３Ａは画像入力装置として機能する。画像受信装置５Ａとしては、たとえば、画像を印刷する情報処理（画像出力処理）を行なうものである場合は、少なくとも画像出力機能部（画像出力機能部）を備えていればよく、この場合、画像受信装置５Ａは画像出力装置として機能する。全体として、画像伝送システム１が画像入出力システムとなる。
【００４９】
＜画像送信装置：第１実施形態＞
図２は、第１実施形態の画像送信装置３Ａの構成例を示す図である。画像送信装置３Ａが備える機能部には３００番台の参照子を付して示す。
【００５０】
画像送信装置３Ａは、画像読取部３１０、幾何学コード処理部３２０、アドレス管理部３４０、画像編集部３５０、および通信処理部３６０を備える。
【００５１】
画像読取部３１０は、文書の画像を光学的読取り手段で読み取るもので、いわゆるスキャナ装置が該当する。
【００５２】
幾何学コード処理部３２０は、幾何学コード抽出部３２２（符号画像抽出部）、幾何学コード解析部３２４（符号画像解析部）、幾何学コード消去部３２６（符号画像消去部）、および幾何学コード生成部３２８（符号画像生成部部）を有する。
【００５３】
幾何学コード抽出部３２２は、文書（画像情報）に添付されている幾何学コードを抽出する。幾何学コード解析部３２４は、幾何学コードを解析して文書の送信先や返信先（送信元と同じでもよい）を示すアドレスを取得する。文書の送信先と返信先を纏めて配信先とも称する。つまり、幾何学コード抽出部３２２と幾何学コード解析部３２４で、文書の送信先や返信先を示すアドレス情報を含んだ幾何学コードを含む文書の画像データから幾何学コードを抽出しその幾何学コードを解析することで文書の配信先を特定する配信先特定部が構成される。
【００５４】
幾何学コード消去部３２６は、文書に添付されている幾何学コードを消去する。幾何学コード生成部３２８は、文書の識別情報やアドレスなどの情報を含む幾何学コードを生成する。
【００５５】
アドレス管理部３４０は、識別情報ＵＩＤ_1と文書の返信先（画像受信装置５_1や画像送受信装置７_1）のアドレス情報を対応付けて記録する配信先情報管理部の一例であり、識別情報処理部３４２と管理テーブル格納部３４４を有する。識別情報処理部３４２は、文書の識別情報やアドレスを管理テーブル格納部３４４を利用して管理する。管理テーブル格納部３４４は、文書の識別情報とアドレスを対応付けたアドレス管理テーブルを格納する。好ましくは、アドレス管理部３４０は、同一文書に対する重複処理防止のために使用する情報として文書処理情報（出力済情報）を文書の識別情報と対応付けて管理テーブル格納部３４４で管理するとよい。
【００５６】
画像編集部３５０は、文書の画像データを編集する。詳しくは、幾何学コード消去部３２６により幾何学コードが消去された文書と、幾何学コード生成部３２８で新たに生成された幾何学コードを使用して、文書中の幾何学コードが示す送信先や返信先の情報をその幾何学コードから取り除いた後の文書の画像を生成する。つまり、幾何学コード消去部３２６と幾何学コード生成部３２８と画像編集部３５０で、文書中の幾何学コードが示す送信先や返信先の情報をその幾何学コードから取り除いた後の文書の画像を生成する画像情報再生部が構成される。
【００５７】
通信処理部３６０は、通信インタフェース部３６２と送信部３６４を有する。通信インタフェース部３６２は、通信網９を介して他の装置と通信を行なうためのインタフェース機能を持つ。送信部３６４は、画像編集部３５０から受け取った情報を通信インタフェース部３６２を介して他の装置へ送る。
【００５８】
＜画像受信装置：第１実施形態＞
図３は、第１実施形態の画像受信装置５Ａの構成例を示す図である。画像受信装置５Ａが備える機能部には５００番台の参照子を付して示すとともに、画像送信装置３Ａの機能部と共通するものには３００番台を５００番台に代えて示す。
【００５９】
画像受信装置５Ａは、画像送信装置３Ａにおける画像読取部３１０と通信処理部３６０の送信部３６４に対応する機能部を備えていない代わりに、通信処理部５６０が受信部５６６を備え、さらに画像編集部５５０の後段に画像出力部５７０を備える。
【００６０】
受信部５６６は、画像送信装置３Ａや画像送受信装置７Ａから送信された文書を通信インタフェース部５６２を介して受信する。
【００６１】
画像出力部５７０は、画像編集部５５０から供給される文書の画像データに基づき文書を出力するもので、いわゆる印刷装置や表示装置が該当する。出力媒体としては表示媒体（たとえば陰極線管表示装置や液晶表示装置など）や印刷媒体（用紙やＯＨＰフィルムなど）の何れでもよい。
【００６２】
アドレス管理部５４０は、好ましくは、同一文書に対する重複処理防止のために使用する情報として文書処理情報（配信済情報や返信済情報）を文書の識別情報と対応付けて管理テーブル格納部５４４で管理するとよい。
【００６３】
＜画像送受信装置：第１実施形態＞
図４は、第１実施形態の画像送受信装置７Ａの構成例を示す図である。画像送受信装置７Ａが備える機能部には７００番台の参照子を付して示すとともに、画像送信装置３Ａや画像受信装置５Ａの機能部と共通するものには３００番台や５００番台を７００番台に代えて示す。
【００６４】
画像送受信装置７Ａは画像送信装置３Ａと画像受信装置５Ａの両機能を備えるものであり、画像送信装置３Ａと画像受信装置５Ａの各機能部を備えるとともに、それぞれで共通する機能部を１つにした状態のものである。図中において、実線で示す信号経路は送信時の場合であり、点線で示す信号経路は受信時の場合である。各機能部は、画像送信装置３Ａや画像受信装置５Ａが備えるものと同様であるので、ここでは説明を割愛する。
【００６５】
なお、図では、画像送受信装置７Ａが画像送信装置３Ａと画像受信装置５Ａの両機能部を同一筐体内に備えることことは必須でない。少なくともアドレス管理部３４０を画像送信装置３Ａ側の機能部と画像受信装置５Ａ側の機能部が共用し得るような構成（実質的に同一筐体の構成と称する）であれば、別筐体でもよい。
【００６６】
＜全体動作：第１実施形態＞
図５は、第１実施形態の画像伝送システム１Ａの全体の処理手順を説明するフローチャートである。後述の各処理手順の説明では、第１エリア８_1側の各装置が備える機能部には参照子“_1”を付し、第２エリア８_2側の各装置が備える機能部には参照子“_2”を付して区別する。また、幾何学コードから取り除くセキュリティ情報としては送信先や送信元のアドレス情報を例に説明する。
【００６７】
第１エリア８_1の画像送信装置３Ａ_1や画像送受信装置７Ａ_1においては、読み取った文書の電子データ（画像データ）を画像受信装置５Ａ_2や画像送受信装置７Ａ_2へ通信網９を介して配信する（Ｓ１００）。このとき、第１エリア８_1の装置は、画像の送信先アドレスが記録された幾何学コードを含む画像を読み取るようにしてもよく、その場合でも、返信先アドレスが記録された幾何学コードを含む画像にして第２エリア８_2の装置へ配信する。
【００６８】
文書の電子データを受信した第２エリア８_2の画像受信装置５Ａ_2や画像送受信装置７Ａ_2は、文書を用紙に印刷し、配布する（Ｓ１２０）。このとき、第２エリア８_2の装置は、画像を特定する識別情報が記録されているが配信先アドレスは記録されていない幾何学コードを含む文書に置換して印刷する。
【００６９】
その後、画像送信装置３Ａ_2や画像送受信装置７Ａ_2は、配布・回収した文書を読み取って電子データにして、画像受信装置５Ａ_1や画像送受信装置７Ａ_1へ通信網９を介して送る（Ｓ１４０）。このとき、第２エリア８_2の装置は、識別情報が記録された幾何学コードを含む画像にして第１エリア８_1の装置へ送信する。
【００７０】
回収された文書の電子データを受信した第１エリア８_1の画像受信装置５Ａ_1や画像送受信装置７Ａ_1は、その電子データに基づいて文書を紙媒体（用紙）に印刷する（Ｓ１８１）。このとき、第１エリア８_1の装置は、幾何学コードを含まない文書、または、配信先アドレスが記録されていない幾何学コードを含む文書に置換して印刷する。
【００７１】
［文書配信：第１実施形態］
図５Ａは、画像取得から配信までの処理手順を説明する（文書配信処理の）フローチャートであり、図５におけるステップＳ１００の詳細手順を示すものである。
【００７２】
画像送信装置３Ａ_1や画像送受信装置７Ａ_1における文書の送信処理に当たっては、先ず、画像読取部３１０_1，７１０_1は、幾何学コードが添付されている文書を読み取り、文書（詳しくはその電子データ：以下同様）を幾何学コード処理部３２０_1，７２０_1に渡す（Ｓ１０２）。幾何学コード抽出部３２２_1，７２２_1は、幾何学コードを抽出し幾何学コード解析部３２４_1，７２４_1に渡す（Ｓ１０４）。幾何学コード解析部３２４_1，７２４_1は、幾何学コードを解析することで、文書の送信先アドレスなど、幾何学コードが示している情報を取得する（Ｓ１０５）。
【００７３】
文書の送信先アドレスが予め分かっている場合には、アドレス設定など操作を行なえばよく、ステップＳ１０２〜Ｓ１０５を行なうことは必須でない。ただし、文書の送信先アドレスが予め分かっている場合においても、ステップＳ１０２〜Ｓ１０５を行なうことで、アドレス設定などの面倒な操作を行なう必要がなくなる。
【００７４】
識別情報処理部３４２_1，７４２_1は、画像読取部３１０_1，７１０_1が読み取った文書を一意に特定する新規の識別情報（ユニークＩＤ）ＵＩＤ_1を作成し、その文書に識別情報ＵＩＤ_1を割り当てる（Ｓ１０６）。識別情報処理部３４２_1，７４２_1は、管理テーブル格納部３４４_1，７４４_1の第１のアドレス管理テーブルTB_1に、作成した識別情報ＵＩＤ_1と送信先アドレス情報（画像受信装置５Ａ_2，画像送受信装置７Ａ_2宛の情報）を関連付けて記憶する（Ｓ１１０）。
【００７５】
幾何学コード消去部３２６_1，７２６_1は、画像読取部３１０_1，７１０_1が読み取った文書中の幾何学コードを消去して画像編集部３５０_1，７５０_1に渡す（Ｓ１１２）。幾何学コード生成部３２８_1，７２８_1は、自装置のアドレスを含ませた新しい幾何学コードを生成して画像編集部３５０_1，７５０_1に渡す（Ｓ１１４）。
【００７６】
画像編集部３５０_1，７５０_1は、幾何学コード消去部３２６_1，７２６_1により幾何学コードが消去された配信用の文書に、幾何学コード生成部３２８_1，７２８_1により生成された新しい幾何学コードを追加して（書き加えて）送信部３６４_1，７６４_1に渡す（Ｓ１１６）。送信部３６４_1，７６４_1は、その文書を画像受信装置５Ａ_2や画像送受信装置７Ａ_2へ送信する（Ｓ１１８）。
【００７７】
［文書配布：第１実施形態］
図５Ｂは、文書を受信し配布する処理手順を説明する（文書配布処理の）フローチャートであり、図５におけるステップＳ１２０の詳細手順を示すものである。
【００７８】
画像受信装置５Ａ_2や画像送受信装置７Ａ_2における文書の配布処理に当たっては、先ず、受信部５６６_2，７６６_2は、画像送信装置３Ａ_1や画像送受信装置７Ａ_1から文書を受信するまで待機する（Ｓ１２２）。受信部５６６_2，７６６_2は、文書を受信すると（Ｓ１２２−ＹＥＳ）、その文書を幾何学コード処理部５２０_2，５２０_2に渡す。
【００７９】
幾何学コード抽出部５２２_2，７２２_2は、幾何学コードを抽出し幾何学コード解析部５２４_2，７２４_2に渡す（Ｓ１２４）。幾何学コード解析部５２４_2，７２４_2は、幾何学コードを解析することで、識別情報ＵＩＤ_1や文書の返信先アドレスなど、幾何学コードが示している情報を取得する（Ｓ１２６）。
【００８０】
識別情報処理部５４２_2，７４２_2は、幾何学コード抽出部５２２_2，７２２_2が抽出した識別情報ＵＩＤ_1が管理テーブル格納部５４４_2，７４４_2の第２のアドレス管理テーブルTB_2に登録済みであるかを確認する（Ｓ１２８）。
【００８１】
登録済みでないときは（Ｓ１２８−ＮＯ）、識別情報処理部５４２_2，７４２_2は、管理テーブル格納部５４４_2，７４４_2の第２のアドレス管理テーブルTB_2に、幾何学コード抽出部５２２_2，７２２_2が抽出した識別情報ＵＩＤ_1と返信先アドレスの情報（画像送信装置３Ａ_1，画像送受信装置７Ａ_1宛の情報）を関連付けて記憶する（Ｓ１３０）。
【００８２】
幾何学コード消去部５２６_2，７２６_2は、受信部５６６_2，７６６_2が受信した文書中の幾何学コードを消去して画像編集部５５０_2，７５０_2に渡す（Ｓ１３２）。幾何学コード生成部５２８_2，７２８_2は、幾何学コード抽出部５２２_2，７２２_2が抽出した識別情報ＵＩＤ_1のみを含ませた幾何学コードを生成して画像編集部５５０_2，７５０_2に渡す（Ｓ１３４）。
【００８３】
画像編集部５５０_2，７５０_2は、幾何学コード消去部５２６_2，７２６_2により幾何学コードが消去された文書に、幾何学コード生成部５２８_2，７２８_2により生成された新しい幾何学コードを追加して（書き加えて）画像出力部５７０_2，５７０_2に渡す（Ｓ１３６）。画像出力部５７０_2，７７０_2は、その文書を用紙に印刷する（Ｓ１３７）。画像受信装置５Ａ_2や画像送受信装置７Ａ_2の使用者は、印刷された文書を配布する。さらに、配布済記録を第２のアドレス管理テーブルTB_2の識別情報ＵＩＤ_1に対応付けて記録する（Ｓ１３８）。
【００８４】
幾何学コード抽出部５２２_2，７２２_2が抽出した識別情報ＵＩＤ_1が第２のアドレス管理テーブルTB_2に登録済みであるときは（Ｓ１２８−ＹＥＳ）、前記のステップＳ１３０〜Ｓ１３８の処理が完了していることを意味するので、画像受信装置５Ａ_2や画像送受信装置７Ａ_2は処理を停止する（Ｓ１３９）。返信元（会社側画像入出力装置７１）から再度同一の文書が送られてきた場合に、重複して配布されるのを防ぐ趣旨である。
【００８５】
［文書回収：第１実施形態］
図５Ｃは、文書を回収する処理手順を説明する（文書回収処理の）フローチャートであり、図５におけるステップＳ１４０の詳細手順を示すものである。
【００８６】
画像送信装置３Ａ_2や画像送受信装置７Ａ_2における文書の回収処理に当たっては、先ず、画像読取部３１０_2，７１０_2は、幾何学コードが添付されている回収した文書を読み取り、文書を幾何学コード処理部３２０_2，７２０_2に渡す（Ｓ１４２）。幾何学コード抽出部３２２_2，７２２_2は、幾何学コードを抽出し幾何学コード解析部３２４_2，７２４_2に渡す（Ｓ１４４）。幾何学コード解析部３２４_2，７２４_2は、幾何学コードを解析することで、幾何学コードが示している情報（ここでは識別情報ＵＩＤ_1）を取得する（Ｓ１４６）。
【００８７】
識別情報処理部３４２_2，７４２_2は、幾何学コード抽出部３２２_2，７２２_2が抽出した識別情報ＵＩＤ_1が、送信処理済みのものであるかを確認する（Ｓ１４８）。
【００８８】
送信処理済みでないときは（Ｓ１４８−ＮＯ）、識別情報処理部３４２_2，７４２_2は、管理テーブル格納部３４４_2，７４４_2の第２のアドレス管理テーブルTB_2に基づき、識別情報ＵＩＤ_1に対応する返信先アドレス情報（画像受信装置５Ａ_1，画像送受信装置７Ａ_1宛の情報）を取得する（Ｓ１５０）。
【００８９】
幾何学コード消去部３２６_2，７２６_2は、画像読取部３１０_2，７１０_2が読み取った文書中の幾何学コードを消去して画像編集部３５０_2，７５０_2に渡す（Ｓ１５２）。幾何学コード生成部３２８_2，７２８_2は、少なくとも幾何学コード抽出部５２２_2，７２２_2が抽出した識別情報ＵＩＤ_1を含ませた幾何学コードを生成して画像編集部５５０_2，７５０_2に渡す（Ｓ１５４）。
【００９０】
画像編集部３５０_2，７５０_2は、幾何学コード消去部３２６_2，７２６_2により幾何学コードが消去された文書に、幾何学コード生成部３２８_2，７２８_2により生成された新しい幾何学コードを追加して（書き加えて）送信部３６４_2，７６４_2に渡す（Ｓ１５６）。送信部３６４_2，７６４_2は、その文書を画像受信装置５Ａ_1や画像送受信装置７Ａ_1へ送信し（Ｓ１５７）、返信済記録を第２のアドレス管理テーブルTB_2の識別情報ＵＩＤ_1に対応付けて記録する（Ｓ１５８）。
【００９１】
幾何学コード抽出部３２２_2，７２２_2が抽出した識別情報ＵＩＤ_1が、送信処理済みのものであるときは（Ｓ１４８−ＹＥＳ）、前記のステップＳ１５０〜Ｓ１５８の処理が完了していることを意味するので、画像送信装置３Ａ_2や画像送受信装置７Ａ_2は処理を停止する（Ｓ１５９）。返信元（会社側画像入出力装置７１）へ同一文書が重複して返信されるのを防ぐ趣旨である。
【００９２】
［回収文書の出力：第１実施形態］
図５Ｄは、回収した文書に基づき出力処理を行なう処理手順を説明する（文書出力処理の）フローチャートであり、図５におけるステップＳ１８１の詳細手順を示すものである。
【００９３】
画像受信装置５Ａ_1や画像送受信装置７Ａ_1における回収した文書に基づく出力処理に当たっては、先ず、受信部５６６_1，７６６_1は、画像送信装置３Ａ_2や画像送受信装置７Ａ_2から文書を受信するまで待機する（Ｓ１８２）。受信部５６６_1，７６６_1は、文書を受信すると（Ｓ１８２−ＹＥＳ）、その文書を幾何学コード処理部５２０_1，５２０_1に渡す。
【００９４】
幾何学コード抽出部５２２_1，７２２_1は、幾何学コードを抽出し幾何学コード解析部５２４_1，７２４_1に渡す（Ｓ１８４）。幾何学コード解析部５２４_1，７２４_1は、幾何学コードを解析することで、識別情報ＵＩＤ_1など、幾何学コードが示している情報を取得する（Ｓ１８６）。
【００９５】
識別情報処理部３４２_1，７４２_1は、幾何学コード抽出部３２２_1，７２２_1が抽出した識別情報ＵＩＤ_1が、印刷処理済みのものであるかを確認する（Ｓ１８８）。印刷処理済みでないときは（Ｓ１８８−ＮＯ）、文書中の幾何学コードに識別情報ＵＩＤ_1のみが含まれているか否かを確認した後に（Ｓ１８９）、画像出力部５７０_1，７７０_1は、回収した文書に基づき印刷処理を行ない（Ｓ１９７）、出力済記録を第１のアドレス管理テーブルTB_1の識別情報ＵＩＤ_1に対応付けて記録する（Ｓ１９８）。
【００９６】
文書中の幾何学コードに識別情報ＵＩＤ_1だけでなく送信元（画像送信装置３Ａ_1，画像送受信装置７Ａ_1）や送信先（画像受信装置５Ａ_2や画像送受信装置７Ａ_2）のアドレス情報が含まれているときには（Ｓ１８９−ＮＯ）、幾何学コード消去部５２６_1，７２６_1は、受信部５６６_1，７６６_1が受信した文書中の幾何学コードを消去して画像編集部５５０_1，７５０_1に渡す（Ｓ１９２）。
【００９７】
文書中の幾何学コードに識別情報ＵＩＤ_1だけでなく送信元や送信先のアドレス情報が含まれているときには（Ｓ１８９−ＮＯ）、幾何学コード生成部５２８_1，７２８_1は、幾何学コード抽出部５２２_1，７２２_1が抽出した識別情報ＵＩＤ_1のみを含ませた幾何学コードを生成して画像編集部５５０_1，７５０_1に渡すのがよい（Ｓ１９４）。この場合、画像編集部５５０_1，７５０_1は、幾何学コード生成部５２８_1，７２８_1により生成された新しい幾何学コードを追加して（書き加えて）画像出力部５７０_1，７７０_1に渡す（Ｓ１９６）。
【００９８】
文書中の幾何学コードには識別情報ＵＩＤ_1のみが含まれているときには、消去処理から新しい幾何学コードの記入までの処理を割愛してもよい（Ｓ１８９−ＹＥＳ）。
【００９９】
幾何学コード抽出部３２２_1，７２２_1が抽出した識別情報ＵＩＤ_1が、印刷処理済みのものであるときは（Ｓ１８８−ＹＥＳ）、前記のステップＳ１９０〜Ｓ１９８の処理が完了していることを意味するので、画像受信装置５Ａ_1や画像送受信装置７Ａ_1は処理を停止する（Ｓ１９９）。返信元（スポット側画像入出力装置７２）から再度同一の文書が送られてきた場合に、重複して印刷するのを防ぐ趣旨である。
【０１００】
＜適用例：第１実施形態＞
［適用システム］
図６は、第１実施形態の適用例のシステム構成を説明する図である。ここでは、図１に示した２つの画像送受信装置７Ａを使用して、一方の画像送受信装置７Ａから他方の画像送受信装置７Ａへ文書の画像データを送信し、他方の画像送受信装置７Ａ側にて画像データに基づく文書を配布し、その後に回収して、その回収した文書を読み取って一方の画像送受信装置７Ａへ配信する事例である。典型的には、会社側で作成したアンケート原本を代行会社に送信し、代行会社にてアンケートの配布と回収を行ない、回収したアンケート用紙を会社側へ送る場合である。
【０１０１】
以下では、一方の画像送受信装置７Ａ_1を会社側画像入出力装置７１と記載し、他方の画像送受信装置７Ａ_2をスポット側画像入出力装置７２と記載する。
【０１０２】
図示した例では、ネットワーク上の位置を特定するアドレスとして、会社側画像入出力装置７１には「１９２．１６８．１．１１」が付与され、スポット側画像入出力装置７２には「１９２．１６８．２．２２」が付与されている。
【０１０３】
［文書の例：第１実施形態］
図６Ａは、図６に示した適用システムにおいて使用される文書（紙媒体時）の一例を示す図である。
【０１０４】
図６Ａ（１）には、会社側画像入出力装置７１側にて用意する文書原本Ｂ_1（原稿：アンケート用紙とする）の一例が示されている。文書原本Ｂ_1には、アンケート用の文章の他に、送信先であるスポット側画像入出力装置７２のアドレスを含む幾何学コード（図中の●）が記入されている。幾何学コードを記入する位置は、第２エリア８_2のスポット側画像入出力装置７２に送信すべき文書原本Ｂ_1の一部（好ましくは余白部）とするのがよい。なお、この幾何学コードが文書原本Ｂ_1に添付されていないときには、幾何学コードを記録したアドレス情報記録片を別途用意して、文書とアドレス情報記録片を重ね合わせた状態で画像読取部７１０で読み取ればよい。
【０１０５】
図６Ａ（２）には、スポット側画像入出力装置７２にて回収した回収文書Ｂ_2（アンケート回収用紙とする）の一例が示されている。回収文書Ｂ_2には、回答が記入されている他に、文書を特定する識別情報ＵＩＤ_1を含む幾何学コード（図中の▲）が記入されている。
【０１０６】
図６Ａ（３）には、スポット側画像入出力装置７２から回収した回収文書Ｂ_2に基づき会社側画像入出力装置７１にて出力される出力文書Ｂ_3（アンケート回収出力用紙とする）の一例が示されている。出力文書Ｂ_3には、回収文書Ｂ_2と同様の回答が記入されているが、識別情報ＵＩＤ_1を含む幾何学コードは消去されている。
【０１０７】
ここで、幾何学コードはアドレス情報を記録した符号画像の一例であり、文書に添付されていてもよいし、文書とは別のアドレス情報記録片に記録されていてもよい。アドレス情報（符号画像）の表現の仕方は、画像読取部３１０，７１０で読み取ることができるようなものであればよい。たとえば、２次元状のドットパターンでアドレス情報を表現するもの（いわゆる２次元バーコード）、棒状の線でアドレス情報を表現する一般的な１次元バーコード、象形文字的にアドレス情報を表現するものなどを適用し得る。
【０１０８】
［アドレス管理テーブルの例：第１実施形態］
図６Ｂは、アドレス管理部７４０にて管理されるアドレス管理テーブルTBの一例を説明する図である。
【０１０９】
図６Ｂ（１）には、会社側画像入出力装置７１のアドレス管理部７４０_1が管理する第１のアドレス管理テーブルTB_1が示されている。第１のアドレス管理テーブルTB_1は、文書の識別情報ＵＩＤ_1と送信先アドレス（スポット側画像入出力装置７２宛）を対応付けているものである。なお、スポット側画像入出力装置７２から回収した文書を既に印刷処理済みであるか否かを特定するための識別情報（フラグ：０は未，１は済み）も識別情報ＵＩＤ_1および送信先アドレスと対応付けて記憶するのがよい。
【０１１０】
図６Ｂ（２）には、スポット側画像入出力装置７２のアドレス管理部７４０_2が管理する第２のアドレス管理テーブルTB_2が示されている。第２のアドレス管理テーブルTB_2は、文書の識別情報ＵＩＤ_1と返信先アドレス（会社側画像入出力装置７１宛）を対応付けて記憶している。なお、既に送信処理済みであるか否かを特定するための識別情報（フラグ：たとえば０は未，１は済み）も識別情報ＵＩＤ_1および返信先アドレスと対応付けて記憶するのがよい。
【０１１１】
［適用例の全体動作：第１実施形態］
図７〜図７Ａは、図６に示した適用システムにおいて、会社側画像入出力装置７１側にて用意した文書を配信して回収し出力するまでの処理を説明する図である。ここで、図７は、文書配信処理および文書配布処理を、図６に示した適用システムとの対応で示した図である。図７Ａは、文書回収処理および文書出力処理を図６に示した適用システムとの対応で示した図である。
【０１１２】
図７に示すように、会社側画像入出力装置７１においては先ず、画像読取部７１０_1は、幾何学コードにスポット側画像入出力装置７２のアドレスが含まれた文書原本Ｂ_1を読み取り、文書を幾何学コード処理部７２０_1に渡す（Ｓ２０２）。なお、この文書は、書込みなどの編集が行なわれているものであってもよい。
【０１１３】
幾何学コード抽出部７２２_1は、幾何学コードを抽出し幾何学コード解析部７２４_1に渡す。幾何学コード解析部７２４_1は、幾何学コードを解析することで、文書の送信先アドレス（この例ではスポット側画像入出力装置７２宛の情報）を取得する。識別情報処理部７４２_1は、画像読取部７１０_1が読み取った文書を一意に特定する新規の識別情報ＵＩＤ_1を作成し、その文書に識別情報ＵＩＤ_1を割り当てる。識別情報処理部７４２_1は、管理テーブル格納部７４４_1の第１のアドレス管理テーブルTB_1（図６Ｂ（１））に、作成した識別情報ＵＩＤ_1と送信先アドレス情報（スポット側画像入出力装置７２宛の情報）を関連付けて記憶する（Ｓ２１０）。
【０１１４】
幾何学コード消去部７２６_1は、画像読取部７１０_1が読み取った文書中の幾何学コードを消去して画像編集部７５０_1に渡す（Ｓ２１２）。幾何学コード生成部７２８_1は、自装置のアドレスを含ませた新しい幾何学コードを生成して画像編集部７５０_1に渡す。ここで新たに生成する幾何学コードは、少なくとも識別情報ＵＩＤ_1と返信先（送信元の会社側画像入出力装置７１）のアドレスを含むものとし、送信先（スポット側画像入出力装置７２）のアドレスを含めるか否かは任意とする。
【０１１５】
画像編集部７５０_1は、幾何学コード消去部７２６_1により幾何学コードが消去された文書に、幾何学コード生成部７２８_1により生成された新しい幾何学コードを追加して（書き加えて）送信部７６４_1に渡す（Ｓ２１６）。送信部７６４_1は、その文書をスポット側画像入出力装置７２へ送信する（Ｓ２１８）。なお、このときの送信プロトコルの種類は任意でよく、たとえばＨＴＴＰ（Hyper Text Transfer Protocol）送信やＦＴＰ（File Transfer Protocol）送信などを使用してよい。
【０１１６】
スポット側画像入出力装置７２では、受信部７６６_2は、会社側画像入出力装置７１から文書を受信するまで待機する。受信部７６６_2は、文書を受信すると、その文書を幾何学コード処理部７２０_2に渡す。幾何学コード抽出部７２２_2は、幾何学コードを抽出し幾何学コード解析部７２４_2に渡す。幾何学コード解析部７２４_2は、幾何学コードを解析することで、識別情報ＵＩＤ_1や文書の返信先アドレス（会社側画像入出力装置７１宛の情報）を取得する。
【０１１７】
識別情報処理部７４２_2は、幾何学コード抽出部７２２_2が抽出した識別情報ＵＩＤ_1が第２のアドレス管理テーブルTB_2（図６Ｂ（２））に登録済みでないときは、幾何学コード抽出部７２２_2が抽出した識別情報ＵＩＤ_1と返信先アドレスの情報（会社側画像入出力装置７１宛の情報）を関連付けて第２のアドレス管理テーブルTB_2に記憶する（Ｓ２３０）。
【０１１８】
幾何学コード消去部７２６_2は、受信部７６６_2が受信した文書中の幾何学コードを消去して画像編集部７５０_2に渡す（Ｓ２３２）。幾何学コード生成部７２８_2は、幾何学コード抽出部７２２_2が抽出した識別情報ＵＩＤ_1のみを含ませた幾何学コードを生成して画像編集部７５０_2に渡す（Ｓ２３４）。
【０１１９】
画像編集部７５０_2は、幾何学コード消去部７２６_2により幾何学コードが消去された文書に、幾何学コード生成部７２８_2により生成された新しい幾何学コードを追加して（書き加えて）画像出力部７７０_2に渡す（Ｓ２３６）。なお、新しい幾何学コードを追加する位置は、たとえば、幾何学コード消去部７２６_2による幾何学コードの消去箇所とするのがよい。元の幾何学コードの位置であれば、他の文字や画像への悪影響がないからである。
【０１２０】
画像出力部７７０_2は、その文書を用紙に印刷する（Ｓ２３８）。スポット側画像入出力装置７２の使用者は、印刷された文書を配布する（Ｓ２３９）。印刷文書（アンケート用紙）が配布されると、その印刷文書への書込みや編集が行なわれる。
【０１２１】
図７Ａに示すように、スポット側画像入出力装置７２における回収文書Ｂ_2の回収処理に当たっては、画像読取部７１０_2は、幾何学コードが添付されている回収した回収文書Ｂ_2（編集された印刷文書）を読み取り、文書を幾何学コード処理部７２０_2に渡す（Ｓ２４２）。幾何学コード抽出部７２２_2は、幾何学コードを抽出し幾何学コード解析部７２４_2に渡す（Ｓ２４４）。幾何学コード解析部７２４_2は、幾何学コードを解析することで、幾何学コードが示している情報（ここでは識別情報ＵＩＤ_1）を取得する。
【０１２２】
識別情報処理部７４２_2は、第２のアドレス管理テーブルTB_2（図６Ｂ（２））を参照して、幾何学コード抽出部７２２_2が抽出した識別情報ＵＩＤ_1が、送信処理済みのものであるかを確認する（Ｓ２５０）。送信処理済みでないときは、識別情報処理部７４２_2は、第２のアドレス管理テーブルTB_2に基づき、識別情報ＵＩＤ_1に対応する返信先アドレス情報（会社側画像入出力装置７１宛の情報）を取得する。なお、幾何学コード抽出部７２２_2が抽出した識別情報ＵＩＤ_1が、送信処理済みのものであるときは、送信処理が完了していることを意味するので、スポット側画像入出力装置７２は処理を終了（受付拒否）してもよい。
【０１２３】
幾何学コード消去部７２６_2は、画像読取部７１０_2が読み取った文書中の幾何学コードを消去して画像編集部７５０_2に渡す（Ｓ２５２）。幾何学コード生成部７２８_2は、新たな幾何学コードを生成して画像編集部７５０_2に渡す。画像編集部７５０_2は、幾何学コード消去部７２６_2により幾何学コードが消去された文書に、幾何学コード生成部７２８_2により生成された新しい幾何学コードを追加して（書き加えて）送信部７６４_2に渡す（Ｓ２５６）。送信部７６４_2は、その文書を会社側画像入出力装置７１へ送信する（Ｓ２５８）。
【０１２４】
ここで新たに生成する幾何学コードは、少なくとも識別情報ＵＩＤ_1を含むものとする。返信先（会社側画像入出力装置７１）や送信元（スポット側画像入出力装置７２）のアドレスを含めるか否かは任意とする。すなわち、送信元および返信先のアドレスを幾何学コードに含めないのであれば、画像読取部７１０_2が読み取った文書をそのまま返信先の会社側画像入出力装置７１に送信してもよい。
【０１２５】
ただし、第２エリア８_2側から第１エリア８_1側への送信（文書の返送）時に、送信元および返信先のアドレスを幾何学コードから削除しておくと、この送信処理時におけるセキュリティ情報の漏洩は防止される。
【０１２６】
会社側画像入出力装置７１における回収した文書に基づく出力処理に当たっては、先ず、幾何学コード抽出部７２２_1は、受信部７６６_1が受信した文書から幾何学コードを抽出し幾何学コード解析部７２４_1に渡す。幾何学コード解析部７２４_1は、幾何学コードを解析することで、少なくとも識別情報ＵＩＤ_1を取得する。識別情報処理部７４２_1は、第１のアドレス管理テーブルTB_1（図６Ｂ（１））を参照して、幾何学コード抽出部７２２_1が抽出した識別情報ＵＩＤ_1が、印刷処理済みのものであるかを確認する（Ｓ２９０）。
【０１２７】
受信した文書中の幾何学コードに含まれる識別情報ＵＩＤ_1や送信元アドレス（スポット側画像入出力装置７２宛の情報）が、第１のアドレス管理テーブルTB_1（図６Ｂ（１））に格納されているもの、または識別情報ＵＩＤ_1に関連付けられて格納されている送信先アドレス（スポット側画像入出力装置７２宛の情報）と異なれば受け取りを拒否してもよい。また、既に印刷処理済みの文書の識別情報ＵＩＤ_1であれば、処理を終了、つまり受付けを拒否してもよい。
【０１２８】
幾何学コード抽出部７２２_1が抽出した識別情報ＵＩＤ_1が、印刷処理済みのものでない場合、画像編集部７５０_2は、回収した文書に基づき印刷処理を行なうことで出力文書Ｂ_3を生成する（Ｓ２９８）。このとき、文書中の幾何学コードに識別情報ＵＩＤ_1だけでなく送信元や送信先のアドレス情報が含まれているときには（Ｓ２９１）、幾何学コード消去部７２６_1は、受信部７６６_1が受信した文書中の幾何学コードを消去する（Ｓ２９２）。この場合、管理用に、幾何学コード生成部７２８_1は、幾何学コード抽出部７２２_1が抽出した識別情報ＵＩＤ_1のみを含ませた幾何学コードを生成するのがよい。そして、画像編集部７５０_1は、幾何学コード生成部７２８_1により生成された新しい幾何学コードを追加する。
【０１２９】
たとえば、配信先のアドレス設定操作を簡便にするために、送信先のアドレスを幾何学コードに記録して文書に添付して読み取り、その読み取った画像中の幾何学コードに記録されたアドレス情報から送信先を特定し、画像をその送信先へ送信することが考えられる。また、文書を配信するだけでなく回収する場合に回収先（返信先）の情報を幾何学コードに記録して文書に添付して送信先へ送信することが考えられる。
【０１３０】
これらの場合、アドレス情報が文書中の幾何学コードに含まれるため、その文書（複製含む）の紛失・盗難により、セキュリティ情報（アドレスなどの会社情報）が漏洩する可能性がある。また、セキュリティ情報（アドレスなど）が記録された幾何学コードが添付された文書のままで印字・配布すると、セキュリティ情報が抜き取られ、悪用（ハッキング等）される可能性がある。
【０１３１】
これに対して、第１実施形態の仕組みでは、幾何学コード中のセキュリティ情報を可能な限り文書から取り除くので、安全かつ簡単に画像伝送システムが実現される。たとえば、第１エリア８_1の装置から第２エリア８_2の装置に文書を配信した後の第２エリア８_2における文書の配布時には、アドレス情報などのセキュリティ情報を幾何学コードから取り除くため、幾何学コードの不正解析によるセキュリティ情報の漏洩はなくなる。第２エリア８_2の装置から第１エリア８_1の装置に文書を返信した後の第１エリア８_1における回収文書に基づく出力時にも、アドレス情報などのセキュリティ情報を幾何学コードから取り除くため、幾何学コードの不正解析によるセキュリティ情報の漏洩はなくなる。安全な文書配布・回収システムが構築される。
【０１３２】
その実現に当たっては、ハードウェアで対処することに限らず後述のコンピュータシステムのようにしてソフトウェア処理で対処してもよい。ハードウェア変更を伴なわずに、従来機で運用し得る。簡単で安全な安全な文書配布・回収システムが構築される。
【０１３３】
ただし、第１実施形態では、配信先の自動設定を行なうために、第１エリア８_1側の装置から第２エリア８_2側の装置へ文書を伝送するときに、配信先（返信先や送信先）のアドレス情報が幾何学コードに含められて伝送されてしまう。このため、送信先である第２エリア８_2側のネットワークにおいて、それら配信先のセキュリティ情報の漏洩が懸念される。後述の第２実施形態は、この点の対策を採る。
【０１３４】
＜システム構成：第２実施形態＞
図８は、画像伝送システムの第２実施形態を示す図である。第２実施形態の画像伝送システム１Ｂは、第１実施形態の画像伝送システム１Ａをベースに、さらに、画像中継装置４を備えている。画像送信装置３Ｂ、画像中継装置４、画像受信装置５Ｂ、画像送受信装置７Ｂを纏めて画像通信装置とも称する。
【０１３５】
画像中継装置４が配置される領域を中継エリア８_3と称する。画像中継装置４は、第１エリア８_1の第１通信網９_1上、第２エリア８_2の第２通信網９_2上、第３通信網９_3上の何れにあってもよい。図では、一例として、第１通信網９_1上に配置している例で示している。
【０１３６】
第１エリア８_1側と第２エリア８_2側と中継エリア８_3側は、その情報セキュリティ性能（情報漏洩防止性能）が同程度であってもよいが、後述の動作説明においては、第２エリア８_2側は第１エリア８_1側や中継エリア８_3側に比べると情報セキュリティ性能が劣っているものとする。
【０１３７】
図では、画像中継装置４を１つで示しているが、複数あってもよい。また、画像送信装置３Ｂ_1や画像送受信装置７Ｂ_1から画像受信装置５Ｂ_2や画像送受信装置７Ｂ_2へ文書を配信する場合と、画像送信装置３Ｂ_2や画像送受信装置７Ｂ_2から画像受信装置５Ｂ_1や画像送受信装置７Ｂ_1へ受信した文書を配信する場合に、同じ画像中継装置４を使うか否かは任意である。
【０１３８】
ただし、異なる画像中継装置４を使うときには、単に画像中継装置４が介在しているだけで全体の処理は、実質的には第１実施形態と相違がないのに対して、同じ画像中継装置４を使うと、後述のように、第２実施形態に特有の利点が得られる。
【０１３９】
第２実施形態の画像伝送システム１Ｂにおいて、画像送信装置３_2は第１実施形態の画像送信装置３Ａと同様の構成のものでよい。画像受信装置５Ｂは第１実施形態の画像受信装置５Ａと同様の構成のものでよい。画像送受信装置７Ｂ_2は第１実施形態の画像送受信装置７Ａと同様の構成のものでよい。
【０１４０】
図８との対応では、画像送信装置３Ｂ_1と画像受信装置５Ｂ_1の機能を纏めたのが画像送受信装置７Ｂ_1であり、画像送信装置３Ｂ_2と画像受信装置５Ｂ_2の機能を纏めたのが画像送受信装置７Ｂ_2である。
【０１４１】
＜画像送信装置：第２実施形態＞
図９は、第２実施形態の画像送信装置３Ｂ_1の構成例を示す図である。画像送信装置３Ｂ_1は第１実施形態の画像送信装置３Ａをベースに、アドレス管理部３４０が、中継先アドレス格納部３４６を有する点が異なる。中継先アドレス格納部３４６は、画像中継装置４のアドレス情報を記憶している。その他の機能部は、第１実施形態の画像送信装置３Ａが備えるものを同様であるので、ここでは説明を割愛する。
【０１４２】
＜画像送受信装置：第２実施形態＞
図１０は、第２実施形態の画像送受信装置７Ｂ_1の構成例を示す図である。画像送受信装置７Ｂ_1は画像送信装置３Ｂ_1（≠３Ａ）と画像受信装置５Ｂ（＝５Ａ）の両機能を備えるものであり、画像送信装置３Ｂ_1と画像受信装置５Ｂの各機能部を備えるとともに、それぞれで共通する機能部を１つにした状態のものとすればよい。図中において、実線で示す信号経路は画像送信時の場合であり、点線で示す信号経路は画像受信時の場合である。各機能部は、画像送信装置３Ｂ_1や画像受信装置５Ｂが備えるものと同様であるので、ここでは説明を割愛する。
【０１４３】
＜画像中継装置＞
［構成］
図１１は、第２実施形態で使用される画像中継装置４の構成例を示す図である。画像中継装置４が備える機能部には４００番台の参照子を付して示すとともに、画像送受信装置７Ａの機能部と共通するものには７００番台を４００番台に代えて示す。
【０１４４】
画像中継装置４と、画像送信装置３Ａや画像受信装置５Ａや画像送受信装置７Ａとの相違点は、画像読取部３１０や画像出力部５７０を備えていない点である。なお、管理テーブル格納部４４４には第３のアドレス管理テーブルTB_3が格納される。その他の機能部は、画像送信装置３Ａや画像受信装置５Ａや画像送受信装置７Ａが備えるものを同様であるので、ここでは説明を割愛する。
【０１４５】
アドレス管理部３４０は、文書の識別情報と中継アドレス（返信先となる画像受信装置５_1や送信元である画像送受信装置７_1、中継先である画像送受信装置７_2や画像受信装置５_2）を対応付けた第３のアドレス管理テーブルTB_3を管理テーブル格納部４４４に格納する。また、好ましくは、アドレス管理部４４０は、第１エリア８_1から第２エリア８_2への送信時の中継であるのか逆に第２エリア８_2から第１エリア８_1への送信（返信）時の中継であるのかの特定のために使用する情報として文書処理情報（送信済情報）を文書の識別情報と対応付けて管理テーブル格納部４４４で管理するとよい。
【０１４６】
［動作］
図１１Ａは、画像中継装置４の処理手順を説明する（文書中継処理の）フローチャートである。画像送信装置３Ｂ_1や画像送受信装置７Ｂ_1から受信した文書を画像受信装置５Ｂ_2や画像送受信装置７Ｂ_2へ配信する場合と、画像送信装置３Ｂ_2や画像送受信装置７Ｂ_2から受信した文書を画像受信装置５Ｂ_1や画像送受信装置７Ｂ_1へ配信する場合で、異なる動作をする事例である。換言すると、画像送信装置３Ｂ_1や画像送受信装置７Ｂ_1から画像受信装置５Ｂ_2や画像送受信装置７Ｂ_2へ文書を配信する場合と、画像送信装置３Ｂ_2や画像送受信装置７Ｂ_2から画像受信装置５Ｂ_1や画像送受信装置７Ｂ_1へ受信した文書を配信する場合において同じ画像中継装置４を使う場合に対処し得る事例である。
【０１４７】
画像中継装置４における文書の中継処理に当たっては、先ず、受信部４６６は、画像送信装置３Ｂ_1や画像送受信装置７Ｂ_1から文書を受信するまで待機する（Ｓ３０２）。受信部４６６は、文書を受信すると（Ｓ３０２−ＹＥＳ）、その文書を幾何学コード処理部４２０に渡す。
【０１４８】
幾何学コード抽出部４２２は、幾何学コードを抽出し幾何学コード解析部４２４に渡す（Ｓ３０４）。幾何学コード解析部４２４は、幾何学コードを解析することで、識別情報ＵＩＤ_1や文書の配信アドレス（送信元や送信先のアドレス）など、幾何学コードが示している情報を取得する（Ｓ３０６）。
【０１４９】
識別情報処理部４４２は、幾何学コード抽出部４２２が抽出した識別情報ＵＩＤ_1が管理テーブル格納部４４４の第３のアドレス管理テーブルTB_3に登録済みであるかを確認する（Ｓ３０８）。
【０１５０】
登録済みでないときは（Ｓ３０８−ＮＯ）、画像送信装置３Ｂ_1や画像送受信装置７Ｂ_1から画像受信装置５Ｂ_2や画像送受信装置７Ｂ_2へ文書を配信する場合に該当する。この場合、識別情報処理部４４２は、管理テーブル格納部４４４の第３のアドレス管理テーブルTB_3に、幾何学コード抽出部４２２が抽出した識別情報ＵＩＤ_1と送信元（返信先）アドレスの情報（画像送信装置３Ｂ_1，画像送受信装置７Ｂ_1宛の情報）と送信先アドレスの情報（画像受信装置５Ｂ_2，画像送受信装置７Ｂ_2宛の情報）を関連付けて記憶する（Ｓ３１０）。
【０１５１】
幾何学コード消去部４２６は、受信部４６６が受信した文書中の幾何学コードを消去して画像編集部４５０に渡す（Ｓ３１２）。幾何学コード生成部４２８は、幾何学コード抽出部４２２が抽出した識別情報ＵＩＤ_1と自装置のアドレスを含ませた新しい幾何学コードを生成して画像編集部４５０に渡す（Ｓ３１４）。
【０１５２】
画像編集部４５０は、幾何学コード消去部４２６により幾何学コードが消去された文書に、幾何学コード生成部４２８により生成された新しい幾何学コードを追加して（書き加えて）送信部４６４に渡す（Ｓ３１６）。送信部４６４は、その文書を第２エリア８_2の装置（画像受信装置５Ｂ_2や画像送受信装置７Ｂ_2）へ送信し（Ｓ３１７）、送信済記録を第３のアドレス管理テーブルTB_3の識別情報ＵＩＤ_1に対応付けて記録する（Ｓ３１８）。
【０１５３】
幾何学コード抽出部４２２が抽出した識別情報ＵＩＤ_1が第３のアドレス管理テーブルTB_3に登録済みであるときは（Ｓ３０８−ＹＥＳ）、前記のステップＳ３１０〜Ｓ３１８の処理が完了しており、画像送信装置３Ｂ_2や画像送受信装置７Ｂ_2から画像受信装置５Ｂ_1や画像送受信装置７Ｂ_1へ受信した文書を配信する（返信用の中継処理を行なう）場合に該当する。
【０１５４】
この場合、幾何学コード消去部４２６は、受信部４６６が受信した文書中の幾何学コードを消去して画像編集部４５０に渡す（Ｓ３２２）。幾何学コード生成部４２８は、幾何学コード抽出部４２２が抽出した識別情報ＵＩＤ_1と送信元アドレスの情報（画像受信装置５Ｂ_2，画像送受信装置７Ｂ_2宛の情報）を含ませた新しい幾何学コードを生成して画像編集部４５０に渡す（Ｓ３２４）。
【０１５５】
画像編集部４５０は、幾何学コード消去部４２６により幾何学コードが消去された文書に、幾何学コード生成部４２８により生成された新しい幾何学コードを追加して（書き加えて）送信部４６４に渡す（Ｓ３２６）。送信部４６４は、その文書を第１エリア８_1の装置（画像受信装置５Ｂ_1や画像送受信装置７Ｂ_1）へ送信する（Ｓ３２７）。
【０１５６】
［全体動作：第２実施形態］
図１２は、第２実施形態の画像伝送システム１Ｂの全体の処理手順を説明するフローチャートである。処理ステップ番号を４００番台で示し、第１実施形態と同様・類似の処理ステップには、１００番台を４００番台に代えて示す。後述の各処理手順の説明では、第１エリア８_1側の各装置が備える機能部には参照子“_1”を付し、第２エリア８_2側の各装置が備える機能部には参照子“_2”を付して区別する。また、幾何学コードから取り除くセキュリティ情報としては送信先や送信元や中継先（中継元）のアドレス情報を例に説明する。
【０１５７】
第１エリア８_1の画像送信装置３Ｂ_1や画像送受信装置７Ｂ_1においては、文書を、先ず画像中継装置４へ配信する（Ｓ４００）。このとき、第１エリア８_1の装置は、画像の送信先アドレスが記録された幾何学コードを含む画像を読み取るようにしてもよく、その場合でも、返信先アドレスが記録された幾何学コードを含む画像にして第２エリア８_2の装置へ配信する。
【０１５８】
画像中継装置４は、第１エリア８_1の装置（画像送信装置３Ｂ_1や画像送受信装置７Ｂ_1）から受信した文書を、第２エリア８_2の装置（画像受信装置５Ｂ_2や画像送受信装置７Ｂ_2）へ送信する（Ｓ４０１）。このとき、画像中継装置４は、識別情報ＵＩＤ_1と中継先アドレスが記録されている幾何学コードを含む画像にして第１エリア８_1の装置へ送信する。配信先（送信先や返信先）のアドレスは幾何学コードに記録しないのがよい。
【０１５９】
文書の電子データを受信した第２エリア８_2の画像受信装置５Ｂ_2や画像送受信装置７Ｂ_2は、文書を用紙に印刷し、配布する（Ｓ４２０）。このとき、第２エリア８_2の装置は、画像を特定する識別情報ＵＩＤ_1が記録されているが配信先アドレスは記録されていない幾何学コードを含む文書に置換して印刷する。
【０１６０】
その後、画像送信装置３Ｂ_2や画像送受信装置７Ｂ_2は、配布・回収した文書を読み取って電子データにして、画像中継装置４へ送信する（Ｓ４４０）。このとき、第２エリア８_2の装置は、画像を特定する識別情報ＵＩＤ_1が記録されているが配信先アドレスは記録されていない幾何学コードを含む文書に置換して送信するのがよい。
【０１６１】
画像中継装置４は、第２エリア８_2の装置（画像受信装置５Ｂ_2や画像送受信装置７Ｂ_2）から受信した文書を、第１エリア８_1の装置（画像送信装置３Ｂ_1や画像送受信装置７Ｂ_1）へ送信する（Ｓ４８０）。このとき、画像中継装置４は、識別情報ＵＩＤ_1が記録された幾何学コードを含む画像にして第１エリア８_1の装置へ送信する。配信先（送信先や返信先）のアドレスは幾何学コードに記録しないのがよい。
【０１６２】
回収された文書の電子データを受信した第１エリア８_1の画像受信装置５Ｂ_1や画像送受信装置７Ｂ_1は、その電子データに基づいて文書を用紙に印刷する（Ｓ４８１）。このとき、第１エリア８_1の装置は、幾何学コードを含まない文書、または、配信先アドレスが記録されていない幾何学コードを含む文書に置換して印刷する。
【０１６３】
［文書配信：第２実施形態］
図１２Ａは、画像取得から配信までの処理手順を説明する（文書配信処理の）フローチャートであり、図１２におけるステップＳ４００の詳細手順を示すものである。
【０１６４】
画像送信装置３Ｂ_1や画像送受信装置７Ｂ_1における文書の送信処理に当たっては、先ず、画像読取部３１０_1，７１０_1は、幾何学コードが添付されている文書を読み取り、文書（詳しくはその電子データ：以下同様）を幾何学コード処理部３２０_1，７２０_1に渡す（Ｓ４０２）。幾何学コード抽出部３２２_1，７２２_1は、幾何学コードを抽出し幾何学コード解析部３２４_1，７２４_1に渡す（Ｓ４０４）。幾何学コード解析部３２４_1，７２４_1は、幾何学コードを解析することで、文書の中継先アドレスや送信先アドレスなど、幾何学コードが示している情報を取得する（Ｓ４０５）。
【０１６５】
文書の中継先アドレスや送信先アドレスが予め分かっている場合にはアドレス設定など操作を行なえばよく、ステップＳ４０２〜Ｓ４０５を行なうことは必須でない。ただし、文書の中継先アドレスや送信先アドレスが予め分かっている場合においても、ステップＳ４０２〜Ｓ４０５を行なうことで、アドレス設定などの面倒な操作を行なう必要がなくなる。
【０１６６】
識別情報処理部３４２_1，７４２_1は、画像読取部３１０_1，７１０_1が読み取った文書を一意に特定する新規の識別情報（ユニークＩＤ）ＵＩＤ_1を作成し、その文書に識別情報ＵＩＤ_1を割り当てる（Ｓ４０６）。
【０１６７】
識別情報処理部３４２_1，７４２_1は、幾何学コード抽出部３２２_1，７２２_1が幾何学コードから中継先アドレスを抽出（取得）したかを確認する（Ｓ４０８）。中継先アドレスを抽出できていないときは（Ｓ４０８−ＮＯ）、識別情報処理部３４２_1，７４２_1は中継先アドレス格納部３４６から中継先アドレスを取得する（Ｓ４０９）。
【０１６８】
その後、識別情報処理部３４２_1，７４２_1は、管理テーブル格納部３４４_1，７４４_1の第１のアドレス管理テーブルTB_1に、作成した識別情報ＵＩＤ_1と送信先アドレス情報（画像中継装置４，画像受信装置５Ａ_2，画像送受信装置７Ａ_2宛の情報）を関連付けて記憶する（Ｓ４１０）。
【０１６９】
幾何学コード消去部３２６_1，７２６_1は、画像読取部３１０_1，７１０_1が読み取った文書中の幾何学コードを消去して画像編集部３５０_1，７５０_1に渡す（Ｓ４１２）。幾何学コード生成部３２８_1，７２８_1は、自装置のアドレスを含ませた新しい幾何学コードを生成して画像編集部３５０_1，７５０_1に渡す（Ｓ４１４）。
【０１７０】
画像編集部３５０_1，７５０_1は、幾何学コード消去部３２６_1，７２６_1により幾何学コードが消去された文書に、幾何学コード生成部３２８_1，７２８_1により生成された新しい幾何学コードを追加して（書き加えて）送信部３６４_1，７６４_1に渡す（Ｓ４１６）。送信部３６４_1，７６４_1は、その文書を画像中継装置４へ送信する（Ｓ４１８）。
【０１７１】
画像中継装置４は、ステップＳ４０１において、前述のステップＳ３０２〜Ｓ３１８の処理を実行して、画像送信装置３Ｂ_1や画像送受信装置７Ｂ_1から受信した文書を、画像受信装置５Ｂ_2や画像送受信装置７Ｂ_2へ送信する。
【０１７２】
［文書配布：第２実施形態］
図１２Ｂは、文書を受信し配布する処理手順を説明する（文書配布処理の）フローチャートであり、図１２におけるステップＳ４２０の詳細手順を示すものである。
【０１７３】
画像受信装置５Ｂ_2や画像送受信装置７Ｂ_2における文書の配布処理に当たっては、先ず、受信部５６６_2，７６６_2は、画像中継装置４から文書を受信するまで待機する（Ｓ４２２）。受信部５６６_2，７６６_2は、文書を受信すると（Ｓ４２２−ＹＥＳ）、その文書を幾何学コード処理部５２０_2，５２０_2に渡す。
【０１７４】
幾何学コード抽出部５２２_2，７２２_2は、幾何学コードを抽出し幾何学コード解析部５２４_2，７２４_2に渡す（Ｓ４２４）。幾何学コード解析部５２４_2，７２４_2は、幾何学コードを解析することで、識別情報ＵＩＤ_1や文書の返信先アドレス（この例では画像中継装置４のアドレス）など、幾何学コードが示している情報を取得する（Ｓ４２６）。
【０１７５】
識別情報処理部５４２_2，７４２_2は、幾何学コード抽出部５２２_2，７２２_2が抽出した識別情報ＵＩＤ_1が管理テーブル格納部５４４_2，７４４_2の第２のアドレス管理テーブルTB_2に登録済みであるかを確認する（Ｓ４２８）。
【０１７６】
登録済みでないときは（Ｓ４２８−ＮＯ）、識別情報処理部５４２_2，７４２_2は、管理テーブル格納部５４４_2，７４４_2の第２のアドレス管理テーブルTB_2に、幾何学コード抽出部５２２_2，７２２_2が抽出した識別情報ＵＩＤ_1と返信先（中継先）アドレスの情報（画像中継装置４宛の情報）を関連付けて記憶する（Ｓ４３０）。
【０１７７】
幾何学コード消去部５２６_2，７２６_2は、受信部５６６_2，７６６_2が受信した文書中の幾何学コードを消去して画像編集部５５０_2，７５０_2に渡す（Ｓ４３２）。幾何学コード生成部５２８_2，７２８_2は、幾何学コード抽出部５２２_2，７２２_2が抽出した識別情報ＵＩＤ_1のみを含ませた幾何学コードを生成して画像編集部５５０_2，７５０_2に渡す（Ｓ４３４）。
【０１７８】
画像編集部５５０_2，７５０_2は、幾何学コード消去部５２６_2，７２６_2により幾何学コードが消去された文書に、幾何学コード生成部５２８_2，７２８_2により生成された新しい幾何学コードを追加して（書き加えて）画像出力部５７０_2，５７０_2に渡す（Ｓ４３６）。画像出力部５７０_2，７７０_2は、その文書を用紙に印刷する（Ｓ４３７）。画像受信装置５Ｂ_2や画像送受信装置７Ｂ_2の使用者は、印刷された文書を配布する。さらに、配布済記録を第２のアドレス管理テーブルTB_2の識別情報ＵＩＤ_1に対応付けて記録する（Ｓ４３８）。
【０１７９】
幾何学コード抽出部５２２_2，７２２_2が抽出した識別情報ＵＩＤ_1が管理テーブル格納部５４４_2，７４４_2の第２のアドレス管理テーブルTB_2に登録済みであるときは（Ｓ４２８−ＹＥＳ）、前記のステップＳ４３０〜Ｓ４３８の処理が完了していることを意味するので、画像受信装置５Ｂ_2や画像送受信装置７Ｂ_2は処理を停止する（Ｓ４３９）。返信元（会社側画像入出力装置７１）から再度同一の文書が送られてきた場合に、重複して配布されるのを防ぐ趣旨である。
【０１８０】
［文書回収：第２実施形態］
図１２Ｃは、文書を回収する処理手順を説明する（文書回収処理の）フローチャートであり、図１２におけるステップＳ４４０の詳細手順を示すものである。
【０１８１】
画像送信装置３Ｂ_2や画像送受信装置７Ｂ_2における文書の回収処理に当たっては、先ず、画像読取部３１０_2，７１０_2は、幾何学コードが添付されている回収した文書を読み取り、文書を幾何学コード処理部３２０_2，７２０_2に渡す（Ｓ４４２）。幾何学コード抽出部３２２_2，７２２_2は、幾何学コードを抽出し幾何学コード解析部３２４_2，７２４_2に渡す（Ｓ４４４）。幾何学コード解析部３２４_2，７２４_2は、幾何学コードを解析することで、幾何学コードが示している情報（ここでは識別情報ＵＩＤ_1）を取得する（Ｓ４４６）。
【０１８２】
識別情報処理部３４２_2，７４２_2は、幾何学コード抽出部３２２_2，７２２_2が抽出した識別情報ＵＩＤ_1が、送信処理済みのものであるかを確認する（Ｓ４４８）。
【０１８３】
送信処理済みでないときは（Ｓ４４８−ＮＯ）、識別情報処理部３４２_2，７４２_2は、管理テーブル格納部３４４_2，７４４_2の第２のアドレス管理テーブルTB_2に基づき、識別情報ＵＩＤ_1に対応する返信先（中継先）アドレス情報（画像中継装置４宛の情報）を取得する（Ｓ４５０）。
【０１８４】
幾何学コード消去部３２６_2，７２６_2は、画像読取部３１０_2，７１０_2が読み取った文書中の幾何学コードを消去して画像編集部３５０_2，７５０_2に渡す（Ｓ４５２）。幾何学コード生成部３２８_2，７２８_2は、少なくとも幾何学コード抽出部５２２_2，７２２_2が抽出した識別情報ＵＩＤ_1を含ませた幾何学コードを生成して画像編集部５５０_2，７５０_2に渡す（Ｓ４５４）。
【０１８５】
画像編集部３５０_2，７５０_2は、幾何学コード消去部３２６_2，７２６_2により幾何学コードが消去された文書に、幾何学コード生成部３２８_2，７２８_2により生成された新しい幾何学コードを追加し（書き加えて）送信部３６４_2，７６４_2に渡す（Ｓ４５６）。送信部３６４_2，７６４_2は、その文書を画像中継装置４へ送信し（Ｓ４５７）、返信済記録を第２のアドレス管理テーブルTB_2の識別情報ＵＩＤ_1に対応付けて記録する（Ｓ４５８）。
【０１８６】
画像中継装置４は、ステップＳ４８０において、前述のステップＳ３０２〜Ｓ３０８，Ｓ３２２〜Ｓ３２７の処理を実行して、画像送信装置３Ｂ_2や画像送受信装置７Ｂ_2から受信した文書を、画像受信装置５Ｂ_1や画像送受信装置７Ｂ_1へ送信する。
【０１８７】
幾何学コード抽出部３２２_2，７２２_2が抽出した識別情報ＵＩＤ_1が、送信処理済みのものであるときは（Ｓ４４８−ＹＥＳ）、前記のステップＳ４５０〜Ｓ４５８の処理が完了していることを意味するので、画像送信装置３Ｂ_2や画像送受信装置７Ｂ_2は処理を停止する（Ｓ４５９）。返信元（会社側画像入出力装置７１）へ画像中継装置４を介して同一文書が重複して返信されるのを防ぐ趣旨である。
【０１８８】
［回収文書の出力：第２実施形態］
図１２Ｄは、回収した文書に基づき出力処理を行なう処理手順を説明する（文書出力処理の）フローチャートであり、図１２におけるステップＳ４８１の詳細手順を示すものである。
【０１８９】
画像受信装置５Ｂ_1や画像送受信装置７Ｂ_1における回収した文書に基づく出力処理に当たっては、先ず、受信部５６６_1，７６６_1は、画像中継装置４から文書を受信するまで待機する（Ｓ４８２）。受信部５６６_1，７６６_1は、文書を受信すると（Ｓ４８２−ＹＥＳ）、その文書を幾何学コード処理部５２０_1，５２０_1に渡す。
【０１９０】
幾何学コード抽出部５２２_1，７２２_1は、幾何学コードを抽出し幾何学コード解析部５２４_1，７２４_1に渡す（Ｓ４８４）。幾何学コード解析部５２４_1，７２４_1は、幾何学コードを解析することで、識別情報ＵＩＤ_1など、幾何学コードが示している情報を取得する（Ｓ４８６）。
【０１９１】
識別情報処理部３４２_1，７４２_1は、幾何学コード抽出部３２２_1，７２２_1が抽出した識別情報ＵＩＤ_1が、印刷処理済みのものであるかを確認する（Ｓ４８８）。
【０１９２】
印刷処理済みでないときは（Ｓ４８８−ＮＯ）、幾何学コード消去部５２６_1，７２６_1は、受信部５６６_1，７６６_1が受信した文書中の幾何学コードを消去して画像編集部５５０_1，７５０_1に渡す（Ｓ４９２）。
【０１９３】
なお、文書中の幾何学コードに識別情報ＵＩＤ_1だけでなく送信元（画像送信装置３Ｂ_1，画像送受信装置７Ｂ_1）や送信先（画像中継装置４や画像受信装置５Ｂ_2や画像送受信装置７Ｂ_2）のアドレス情報が含まれているときには、この消去処理を必ず行なうのがよい（Ｓ４８９−ＮＯ）。文書中の幾何学コードには識別情報ＵＩＤ_1のみが含まれているときには、この消去処理を割愛してもよい（Ｓ４８９−ＹＥＳ）。
【０１９４】
文書中の幾何学コードに識別情報ＵＩＤ_1だけでなく送信元や送信先のアドレス情報が含まれているときには（Ｓ４８９−ＮＯ）、幾何学コード生成部５２８_1，７２８_1は、幾何学コード抽出部５２２_1，７２２_1が抽出した識別情報ＵＩＤ_1のみを含ませた幾何学コードを生成して画像編集部５５０_1，７５０_1に渡すのがよい（Ｓ４９４）。この場合、画像編集部５５０_1，７５０_1は、幾何学コード生成部５２８_1，７２８_1により生成された新しい幾何学コードを追加して（書き加えて）画像出力部５７０_1，７７０_1に渡す（Ｓ４９６）。画像編集部５５０_2，７５０_2は、回収した文書に基づき印刷処理を行ない（Ｓ４９７）、出力済記録を第１のアドレス管理テーブルTB_1の識別情報ＵＩＤ_1に対応付けて記録する（Ｓ４９８）。
【０１９５】
幾何学コード抽出部３２２_1，７２２_1が抽出した識別情報ＵＩＤ_1が、印刷処理済みのものであるときは（Ｓ４８８−ＹＥＳ）、前記のステップＳ４９０〜Ｓ４９８の処理が完了していることを意味するので、画像受信装置５Ｂ_1や画像送受信装置７Ｂ_1は処理を停止する（Ｓ４９９）。返信元（スポット側画像入出力装置７２）から再度同一の文書が送られてきた場合に、重複して印刷するのを防ぐ趣旨である。
【０１９６】
＜適用例：第２実施形態＞
［適用システム］
図１３は、第２実施形態の適用例のシステム構成を説明する図である。ここでは、図８に示した２つの画像送受信装置７Ｂを使用して、一方の画像送受信装置７Ｂから画像中継装置４を介して他方の画像送受信装置７Ｂへ文書の画像データを送信し、他方の画像送受信装置７Ｂ側にて画像データに基づく文書を配布し、その後に回収して、その回収した文書を読み取って、同じ画像中継装置４を介して一方の画像送受信装置７Ｂへ配信する事例である。典型的には、会社側で作成したアンケート原本を画像中継装置４を介して代行会社に送信し、代行会社にてアンケートの配布と回収を行ない、回収したアンケート用紙を画像中継装置４を介して会社側へ送る場合である。以下では（図面も）、一方の画像送受信装置７Ｂ_1を会社側画像入出力装置７１と記載し、他方の画像送受信装置７Ｂ_2をスポット側画像入出力装置７２と記載する。
【０１９７】
図示した例では、画像中継装置４は、第３通信網９_3上に配置されている。図中に点線で示すように、第２エリア８_2の第２通信網９_2上に配置してもよい。ネットワーク上の位置を特定するアドレスとして、会社側画像入出力装置７１には「１９２．１６８．１．１１」が付与され、スポット側画像入出力装置７２には「１９２．１６８．２．２２」が付与され、画像中継装置４には「１９２．１６８．３．３３」が付与されている。
【０１９８】
［文書の例：第２実施形態］
図１３Ａは、図１３に示した適用システムにおいて使用される文書（紙媒体時）の一例を示す図である。
【０１９９】
図１３Ａ（１）には、会社側画像入出力装置７１側にて用意する文書原本Ｂ_1（原稿：アンケート用紙とする）の一例が示されている。文書原本Ｂ_1には、アンケート用の文章の他に、少なくとも送信先であるスポット側画像入出力装置７２のアドレスを含む幾何学コード（図中の●）が記入されている。中継先である画像中継装置４のアドレスを含むか否かは任意である。
【０２００】
図１３Ａ（２）には、スポット側画像入出力装置７２にて回収した回収文書Ｂ_2（アンケート回収用紙とする）の一例が示されている。回収文書Ｂ_2には、回答が記入されている他に、文書を特定する識別情報ＵＩＤ_1を含む幾何学コード（図中の▲）が記入されている。
【０２０１】
図１３Ａ（３）には、スポット側画像入出力装置７２から回収した回収文書Ｂ_2に基づき会社側画像入出力装置７１にて出力される出力文書Ｂ_3（アンケート回収出力用紙とする）の一例が示されている。出力文書Ｂ_3には、回収文書Ｂ_2と同様の回答が記入されているが、識別情報ＵＩＤ_1を含む幾何学コードは消去されている。
【０２０２】
［アドレス管理テーブルの例：第２実施形態］
図１３Ｂは、アドレス管理部７４０，４４０にて管理されるアドレス管理テーブルTBの一例を説明する図である。
【０２０３】
図１３Ｂ（１）には、会社側画像入出力装置７１のアドレス管理部７４０_1が管理する第１のアドレス管理テーブルTB_1が示されている。第１のアドレス管理テーブルTB_1は、文書の識別情報ＵＩＤ_1と送信先アドレス（スポット側画像入出力装置７２宛）と中継先アドレス（画像中継装置４宛）を対応付けているものである。第１実施形態との相違は、中継先アドレスを追加している点である。なお、スポット側画像入出力装置７２から回収した文書を既に印刷処理済みであるか否かを特定するための識別情報（フラグ：０は未，１は済み）も識別情報ＵＩＤ_1および送信先アドレスおよび中継先アドレスと対応付けて記憶するのがよい。
【０２０４】
図１３Ｂ（２）には、スポット側画像入出力装置７２のアドレス管理部７４０_2が管理する第２のアドレス管理テーブルTB_2が示されている。第２のアドレス管理テーブルTB_2は、文書の識別情報ＵＩＤ_1と返信先アドレス（画像中継装置４宛）を対応付けて記憶している。第１実施形態との相違は、返信先アドレスを、会社側画像入出力装置７１ではなく画像中継装置４にしている点である。なお、既に送信処理済みであるか否かを特定するための識別情報（フラグ：０は未，１は済み）も識別情報ＵＩＤ_1および返信先アドレスと対応付けて記憶するのがよい。
【０２０５】
図１３Ｂ（３）には、画像中継装置４のアドレス管理部４４０が管理する第３のアドレス管理テーブルTB_3が示されている。第３のアドレス管理テーブルTB_3は、文書の識別情報ＵＩＤ_1と返信元アドレス（会社側画像入出力装置７１宛）と送信先アドレス（スポット側画像入出力装置７２宛）を対応付けて記憶している。
【０２０６】
［適用例の全体動作：第２実施形態］
図１４〜図１４Ａは、図１３に示した適用システムにおいて、会社側画像入出力装置７１側にて用意した文書を配信して回収し出力するまでの処理を説明する図である。
【０２０７】
ここで、図１４は、文書配信処理、文書中継処理、および文書配布処理を、図１３に示した適用システムとの対応で示した図である。図１４Ａは、文書回収処理、文書中継処理、および文書出力処理を、図１３に示した適用システムとの対応で示した図である。
【０２０８】
図１４に示すように、会社側画像入出力装置７１においては先ず、画像読取部７１０_1は、幾何学コードにスポット側画像入出力装置７２および画像中継装置４のアドレスが含まれた文書原本Ｂ_1を読み取り、または幾何学コードにスポット側画像入出力装置７２のアドレスが含まれているが画像中継装置４のアドレスが含まれていない文書原本Ｂ_1を読み取り、文書を幾何学コード処理部７２０_1に渡す（Ｓ６０２）。なお、この文書は、書込みなどの編集が行なわれているものであってもよい。
【０２０９】
幾何学コード抽出部７２２_1は、幾何学コードを抽出し幾何学コード解析部７２４_1に渡す。幾何学コード解析部７２４_1は、幾何学コードを解析することで、文書の送信先アドレスを取得する。この例では、少なくともスポット側画像入出力装置７２宛の情報を取得する。幾何学コードにスポット側画像入出力装置７２および画像中継装置４のアドレスが含まれていれば、スポット側画像入出力装置７２宛と画像中継装置４宛の情報を取得する。
【０２１０】
画像中継装置４のアドレスが含まれていない文書を読み取った場合、つまり、幾何学コードから中継先アドレスが取得できない場合は、識別情報処理部７４２_1は、中継先アドレス格納部７４６に予め設定された中継先アドレスを取得する。
【０２１１】
識別情報処理部７４２_1は、画像読取部７１０_1が読み取った文書を一意に特定する新規の識別情報ＵＩＤ_1を作成し、その文書に識別情報ＵＩＤ_1を割り当てる。識別情報処理部７４２_1は、管理テーブル格納部７４４_1の第１のアドレス管理テーブルTB_1（図１３Ｂ（１））に、作成した識別情報ＵＩＤ_1と送信先アドレス情報（スポット側画像入出力装置７２宛および画像中継装置４宛の情報）を関連付けて記憶する（Ｓ６１０）。
【０２１２】
幾何学コード消去部７２６_1は、画像読取部７１０_1が読み取った文書中の幾何学コードを消去して画像編集部７５０_1に渡す（Ｓ６１２）。幾何学コード生成部７２８_1は、自装置のアドレスを含ませた新しい幾何学コードを生成して画像編集部７５０_1に渡す（Ｓ６１４）。ここで新たに生成する幾何学コードは、少なくとも識別情報ＵＩＤ_1と返信先（会社側画像入出力装置７１）と送信先（スポット側画像入出力装置７２）のアドレスを含むものとし、画像中継装置４のアドレスを含めるか否かは任意とする。
【０２１３】
画像編集部７５０_1は、幾何学コード消去部７２６_1により幾何学コードが消去された文書に、幾何学コード生成部７２８_1により生成された新しい幾何学コードを追加して（書き加えて）送信部７６４_1に渡す（Ｓ６１６）。送信部７６４_1は、その文書をスポット側画像入出力装置７２へ送信する（Ｓ６１８）。なお、このときの送信プロトコルの種類は任意でよく、たとえばＨＴＴＰ送信やＦＴＰ送信などを使用してよい。
【０２１４】
画像中継装置４では、受信部４６６は、会社側画像入出力装置７１から文書を受信するまで待機する。受信部４６６は、文書を受信すると、その文書を幾何学コード処理部４２０に渡す。幾何学コード抽出部４２２は、幾何学コードを抽出し幾何学コード解析部４２４に渡す。幾何学コード解析部４２４は、幾何学コードを解析することで、識別情報ＵＩＤ_1や文書の送信先アドレス（スポット側画像入出力装置７２宛の情報）や返信先アドレス（会社側画像入出力装置７１宛の情報）を取得する。
【０２１５】
識別情報処理部４４２は、幾何学コード抽出部４２２_2が抽出した識別情報ＵＩＤ_1が第３のアドレス管理テーブルTB_3（図１３Ｂ（３））に登録済みでないときは、幾何学コード抽出部４２２が抽出した識別情報ＵＩＤ_1と送信先アドレス（スポット側画像入出力装置７２宛の情報）や返信先アドレス（会社側画像入出力装置７１宛の情報）を関連付けて第２のアドレス管理テーブルTB_2に記憶する（Ｓ６２０）。
【０２１６】
幾何学コード消去部４２６は、受信部４６６が受信した文書中の幾何学コードを消去して画像編集部４５０に渡す（Ｓ６２２）。幾何学コード生成部５２８は、幾何学コード抽出部５２２が抽出した識別情報ＵＩＤ_1と画像中継装置４のアドレスを含ませた幾何学コードを生成して画像編集部４５０に渡す。画像編集部４５０は、幾何学コード消去部４２６により幾何学コードが消去された文書に、幾何学コード生成部４２８により生成された新しい幾何学コードを追加して（書き加えて）送信部４６４に渡す（Ｓ６２６）。送信部４６４は、文書を、スポット側画像入出力装置７２へ送信する（Ｓ６２８）。なお、新しい幾何学コードを追加する位置は、たとえば、幾何学コード消去部４２６による幾何学コードの消去箇所とするのがよい。元の幾何学コードの位置であれば、他の文字や画像への悪影響がないからである。
【０２１７】
ここで新たに生成する幾何学コードは、識別情報ＵＩＤ_1と画像中継装置４のアドレスを含むものとする。返信先（会社側画像入出力装置７１）のアドレスを含めることは好ましくなく、幾何学コードから削除しておく。さらに好ましくは、送信先（スポット側画像入出力装置７２）のアドレスも幾何学コードから削除しておく。画像中継装置４側から第２エリア８_2側への送信（文書の中継送信）時に、会社側画像入出力装置７１だけでなくスポット側画像入出力装置７２のアドレスも幾何学コードから削除しておくと、この送信処理時に、会社側画像入出力装置７１だけでなくスポット側画像入出力装置７２のセキュリティ情報の漏洩は防止される。
【０２１８】
スポット側画像入出力装置７２では、受信部７６６_2は、画像中継装置４から文書を受信するまで待機する。受信部７６６_2は、文書を受信すると、その文書を幾何学コード処理部７２０_2に渡す。幾何学コード抽出部７２２_2は、幾何学コードを抽出し幾何学コード解析部７２４_2に渡す。幾何学コード解析部７２４_2は、幾何学コードを解析することで、識別情報ＵＩＤ_1や文書の返信先アドレス（画像中継装置４宛の情報）を取得する。
【０２１９】
識別情報処理部７４２_2は、幾何学コード抽出部７２２_2が抽出した識別情報ＵＩＤ_1が第２のアドレス管理テーブルTB_2（図１３Ｂ（２））に登録済みでないときは、幾何学コード抽出部７２２_2が抽出した識別情報ＵＩＤ_1と返信先アドレスの情報（画像中継装置４宛の情報）を関連付けて第２のアドレス管理テーブルTB_2に記憶する（Ｓ６３０）。
【０２２０】
幾何学コード消去部７２６_2は、受信部７６６_2が受信した文書中の幾何学コードを消去して画像編集部７５０_2に渡す（Ｓ６３２）。幾何学コード生成部７２８_2は、幾何学コード抽出部７２２_2が抽出した識別情報ＵＩＤ_1のみを含ませた幾何学コードを生成して画像編集部７５０_2に渡す。画像編集部７５０_2は、幾何学コード消去部７２６_2により幾何学コードが消去された文書に、幾何学コード生成部７２８_2により生成された新しい幾何学コードを追加して（書き加えて）画像出力部７７０_2に渡す（Ｓ６３６）。なお、新しい幾何学コードを追加する位置は、たとえば、幾何学コード消去部７２６_2による幾何学コードの消去箇所とするのがよい。元の幾何学コードの位置であれば、他の文字や画像への悪影響がないからである。
【０２２１】
画像出力部７７０_2は、その文書を用紙に印刷する（Ｓ６３８）。スポット側画像入出力装置７２の使用者は、印刷された文書を配布する（Ｓ６３９）。印刷文書（アンケート用紙）が配布されると、その印刷文書への書込みや編集が行なわれる。
【０２２２】
図１４Ａに示すように、スポット側画像入出力装置７２における文書の回収処理に当たっては、画像読取部７１０_2は、幾何学コードが添付されている回収した回収文書Ｂ_2（編集された印刷文書）を読み取り、文書を幾何学コード処理部７２０_2に渡す（Ｓ６４２）。幾何学コード抽出部７２２_2は、幾何学コードを抽出し幾何学コード解析部７２４_2に渡す。幾何学コード解析部７２４_2は、幾何学コードを解析することで、幾何学コードが示している情報（ここでは識別情報ＵＩＤ_1）を取得する。
【０２２３】
識別情報処理部７４２_2は、幾何学コード抽出部７２２_2が抽出した識別情報ＵＩＤ_1が送信処理済みでないときは、第２のアドレス管理テーブルTB_2に基づき、識別情報ＵＩＤ_1に対応する返信先アドレス情報（画像中継装置４宛の情報）を取得する（Ｓ６５０）。なお、幾何学コード抽出部７２２_2が抽出した識別情報ＵＩＤ_1が、送信処理済みのものであるときは、送信処理が完了していることを意味するので、スポット側画像入出力装置７２は処理を終了（受付拒否）してもよい。
【０２２４】
幾何学コード消去部７２６_2は、画像読取部７１０_2が読み取った文書中の幾何学コードを消去して画像編集部７５０_2に渡す（Ｓ６５２）。幾何学コード生成部７２８_2は、新たな幾何学コードを生成して画像編集部７５０_2に渡す。画像編集部７５０_2は、幾何学コード消去部７２６_2により幾何学コードが消去された文書に、幾何学コード生成部７２８_2により生成された新しい幾何学コードを追加して（書き加えて）送信部７６４_2に渡す（Ｓ６５６）。送信部７６４_2は、その文書を会社側画像入出力装置７１へ送信する（Ｓ６５８）。なお、新しい幾何学コードを追加する位置は、たとえば、幾何学コード消去部７２６_2による幾何学コードの消去箇所とするのがよい。元の幾何学コードの位置であれば、他の文字や画像への悪影響がないからである。
【０２２５】
ここで新たに生成する幾何学コードは、少なくとも識別情報ＵＩＤ_1を含むものとする。返信先（画像中継装置４）や送信元（スポット側画像入出力装置７２）のアドレスを含めるか否かは任意とする。すなわち、送信元および中継先アドレスを幾何学コードに含めないのであれば、画像読取部７１０_2が読み取った文書をそのまま返信先（中継先）の画像中継装置４に送信してもよい。
【０２２６】
ただし、第２エリア８_2側から画像中継装置４への送信（文書の返送）時に、スポット側画像入出力装置７２のアドレスを幾何学コードから削除しておくと、この送信処理時におけるセキュリティ情報の漏洩は防止される。
【０２２７】
画像中継装置４では、受信部４６６は、スポット側画像入出力装置７２から文書を受信するまで待機する。受信部４６６は、文書を受信すると、その文書を幾何学コード処理部４２０に渡す。幾何学コード抽出部４２２は、幾何学コードを抽出し幾何学コード解析部４２４に渡す。幾何学コード解析部４２４は、幾何学コードを解析することで、識別情報ＵＩＤ_1や中継先アドレス（画像中継装置４宛の情報）や送信先アドレス（会社側画像入出力装置７１宛の情報）を取得する。
【０２２８】
識別情報処理部４４２は、幾何学コード抽出部４２２_2が抽出した識別情報ＵＩＤ_1に基づいて、第３のアドレス管理テーブルTB_3（図１３Ｂ（３））に登録済みの返信先アドレス（会社側画像入出力装置７１宛の情報）を取得する（Ｓ６７０）。
【０２２９】
幾何学コード消去部４２６は、受信部４６６が受信した文書中の幾何学コードを消去して画像編集部４５０に渡す（Ｓ６７２）。幾何学コード生成部５２８は、新たな幾何学コードを生成して画像編集部４５０に渡す。画像編集部４５０は、幾何学コード消去部４２６により幾何学コードが消去された文書に、幾何学コード生成部４２８により生成された新しい幾何学コードを追加して（書き加えて）送信部４６４に渡す（Ｓ６７６）。送信部４６４は、文書を、会社側画像入出力装置７１へ送信する（Ｓ６７８）。なお、新しい幾何学コードを追加する位置は、たとえば、幾何学コード消去部４２６による幾何学コードの消去箇所とするのがよい。元の幾何学コードの位置であれば、他の文字や画像への悪影響がないからである。
【０２３０】
ここで新たに生成する幾何学コードは、少なくとも識別情報ＵＩＤ_1を含むものとする。送信元（スポット側画像入出力装置７２）や返信先（会社側画像入出力装置７１）や中継元（画像中継装置４）のアドレスを含めるか否かは任意とする。すなわち、送信元・返信先・中継元アドレスを幾何学コードに含めないのであれば、画像読取部４１０が読み取った文書をそのまま返信先の会社側画像入出力装置７１に送信してもよい。
【０２３１】
ただし、画像中継装置４から第１エリア８_1側への送信（文書の返送）時に、送信元および返信先のアドレスを幾何学コードから削除しておくと、この送信処理時におけるセキュリティ情報の漏洩は防止される。
【０２３２】
会社側画像入出力装置７１における回収した文書に基づく出力処理に当たっては、先ず、幾何学コード抽出部７２２_1は、受信部７６６_1が受信した文書から幾何学コードを抽出し幾何学コード解析部７２４_1に渡す。幾何学コード解析部７２４_1は、幾何学コードを解析することで、少なくとも識別情報ＵＩＤ_1を取得する。識別情報処理部７４２_1は、第１のアドレス管理テーブルTB_1（図１３Ｂ（１））を参照して、幾何学コード抽出部７２２_1が抽出した識別情報ＵＩＤ_1が、印刷処理済みのものであるかを確認する（Ｓ６９０）。
【０２３３】
受信した文書中の幾何学コードに含まれる識別情報ＵＩＤ_1や送信元アドレス（スポット側画像入出力装置７２宛の情報）が、第１のアドレス管理テーブルTB_1（図１３Ｂ（１））に格納されているもの、または識別情報ＵＩＤ_1に関連付けられて格納されている送信先アドレス（スポット側画像入出力装置７２宛の情報）と異なれば受け取りを拒否してもよい。また、既に印刷処理済みの文書の識別情報ＵＩＤ_1であれば、処理を終了、つまり受付けを拒否してもよい。
【０２３４】
幾何学コード抽出部７２２_1が抽出した識別情報ＵＩＤ_1が、印刷処理済みのものでない場合、画像編集部７５０_2は、回収した文書に基づき印刷処理を行なうことで出力文書Ｂ_3を生成する（Ｓ６９８）。このとき、文書中の幾何学コードに識別情報ＵＩＤ_1だけでなく送信元や送信先のアドレス情報が含まれているときには（Ｓ６９１）、幾何学コード消去部７２６_1は、受信部７６６_1が受信した文書中の幾何学コードを消去する（Ｓ６９２）。この場合、管理用に、幾何学コード生成部７２８_1は、幾何学コード抽出部７２２_1が抽出した識別情報ＵＩＤ_1のみを含ませた幾何学コードを生成するのがよい。そして、画像編集部７５０_1は、幾何学コード生成部７２８_1により生成された新しい幾何学コードを追加する。
【０２３５】
以上説明したように、第２実施形態の仕組みでは、第１実施形態の仕組みに対して画像中継装置４を介した伝送を行なうようにするとともに、画像中継装置４にても幾何学コードへの処理を行なうようにしている。第２エリア８_2側への中継処理時に、配信先（特に第１エリア８_1側の装置）のアドレス情報を幾何学コードから削除するため、送信先（特に第２エリア８_2側の装置）における送信元（返信先）のセキュリティ情報の漏洩は防止される。
【０２３６】
＜電子計算機による構成＞
図１５は、画像送信装置３、画像中継装置４、画像受信装置５、および画像送受信装置７の制御構成の他の構成例を示すブロック図である。ここでは、パーソナルコンピュータなどの電子計算機を利用して、ソフトウェアを実行するマイクロプロセッサなどから構築される画像形成装置７の制御構成のより現実的なハードウェア構成を示している。
【０２３７】
すなわち、本実施形態において、画像入出力処理および画像伝送処理に関わる制御処理を行なう画像送信装置３、画像中継装置４、画像受信装置５、および画像送受信装置７の制御構成の仕組みは、ハードウェア処理回路により構成することに限らず、その機能を実現するプログラムコードに基づき電子計算機（コンピュータ）を用いてソフトウェア的に実現される。よって、本実施形態に係る仕組みを、電子計算機（コンピュータ）を用いてソフトウェアで実現するために好適なプログラムあるいはこのプログラムを格納したコンピュータ読取可能な記憶媒体が発明として抽出される。ソフトウェアにより実行させる仕組みとすることで、ハードウェアの変更を伴うことなく、処理手順などが容易に変更されることとなる。
【０２３８】
前述の一連の画像入出力処理および画像伝送処理はハードウェアまたはソフトウェアの単独に限らずその両者の複合構成によっても実現され得る。ソフトウェアによる処理を実行する場合、処理手順を示したプログラムを、ハードウェアに組み込まれたコンピュータ内の記憶媒体に組み込んで（インストールして）実行させたり、各種処理が実行可能な汎用の電子計算機にプログラムを組み込んで実行させる。
【０２３９】
画像入出力処理および画像伝送処理機能をコンピュータに実行させるプログラムは、ＣＤ−ＲＯＭなどの記録媒体を通じて配布される。また、このプログラムは、ＣＤ−ＲＯＭではなくＦＤに格納されてもよい。また、ＭＯドライブを設け、ＭＯに前記プログラムを格納してもよく、またフラッシュメモリなどの不揮発性の半導体メモリカードなど、その他の記録媒体にプログラムを格納してもよい。
【０２４０】
さらに、ソフトウェアを構成するプログラムは、記録媒体を介して提供されることに限らず、有線または無線などの通信網を介して提供されてもよい。たとえば、他のサーバなどからインターネットなどのネットワークを経由してプログラムをダウンロードして取得したり、更新したりしてもよい。
【０２４１】
さらに、画像入出力処理および画像伝送処理を行なう機能を実現するプログラムコードを記述したファイルとしてプログラムが提供されるが、この場合、一括のプログラムファイルとして提供されることに限らず、コンピュータで構成されるシステムのハードウェア構成に応じて、個別のプログラムモジュールとして提供されてもよい。
【０２４２】
たとえば、コンピュータシステム９００は、ＣＰＵ（Central Processing Unit ）やマイクロプロセッサ（microprocessor）で構成された中央制御部９１０と、読出専用の記憶部であるＲＯＭ（Read Only Memory）、または随時読出し・書込みが可能なメモリであるＲＡＭ（Random Access Memory）などを具備する記憶部９１２と、操作部９１４と、図示を割愛したその他の周辺部材を有している。
【０２４３】
中央制御部９１０は、コンピュータが行なう演算と制御の機能を超小型の集積回路に集約させたＣＰＵを代表例とする電子計算機の中枢をなすものと同様のものである。ＲＯＭには画像入出力処理や画像伝送処理機能用の制御プログラムなどが格納される。操作部９１４は、利用者による操作を受け付けるためのユーザインタフェースである。
【０２４４】
なお、コンピュータシステム９００の制御系としては、メモリカードなどの図示を割愛した外部記録媒体を挿脱可能に構成し、またインターネットなどの通信網との接続が可能に構成するとよい。このためには、制御系は、中央制御部９１０や記憶部９１２の他に、可搬型の記録媒体の情報を読み込むメモリ読出部９２０や外部との通信インタフェース手段としての通信Ｉ／Ｆ９２２を備えるようにするとよい。メモリ読出部９２０を備えることで外部記録媒体からプログラムのインストールや更新に対応する。通信Ｉ／Ｆ９２２を備えることで、通信網を介しプログラムのインストールや更新に対応する。基本的な画像入出力処理および画像伝送処理の仕組みは前記実施形態と同様である。
【０２４５】
なお、ここでは、画像送信装置３、画像中継装置４、画像受信装置５、および画像送受信装置７の制御構成をコンピュータにてソフトウェア上で実現する構成例で説明しているが、本実施形態の画像入出力処理および画像伝送処理を実現するための各装置３，４，５，７の制御構成の各部（機能ブロックを含む）の具体的手段は、ハードウェア、ソフトウェア、通信手段、これらの組み合わせ、その他の手段を用いることができ、このこと自体は当業者において自明である。また、機能ブロック同士が複合して１つの機能ブロックに集約されてもよい。また、コンピュータにプログラム処理を実行させるソフトウェアは、組合せの態様に応じて分散してインストールされる。
【０２４６】
以上、本発明について実施形態を用いて説明したが、本発明の技術的範囲は前記実施形態に記載の範囲には限定されない。発明の要旨を逸脱しない範囲で前記実施形態に多様な変更または改良を加えることができ、そのような変更または改良を加えた形態も本発明の技術的範囲に含まれる。
【０２４７】
また、前記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０２４８】
たとえば、画像送信装置３_1と画像受信装置５_1の組合せで画像送受信装置７_1（会社側画像入出力装置７１）と同様の機能を果たすようにしてもよい。この場合、画像送受信装置７_2（スポット側画像入出力装置７２）や画像中継装置４に送信する文書の幾何学コードには、送信元に代えて返信先として画像受信装置５_1のアドレスを含むようにする。また、画像送信装置３_1は、文書を配信した後には、第１のアドレス管理テーブルTB_1の情報を画像受信装置５_1に通知し、画像受信装置５_1にて記憶するようにする。
【０２４９】
画像送信装置３_2と画像受信装置５_2の組合せで画像送受信装置７_2（スポット側画像入出力装置７２）と同様の機能を果たすようにしてもよい。この場合、画像送受信装置７_1（会社側画像入出力装置７１）は、第１のアドレス管理テーブルTB_1に、送信先アドレス（画像受信装置５_2宛）に代えて回収する文書についての送信元アドレス（画像送信装置３_2宛）を記憶する。また、第２実施形態を適用する場合には、画像中継装置４に送信する文書の幾何学コードには、画像送信装置３_2と画像受信装置５_2のアドレスを含むようにする。第３のアドレス管理テーブルTB_3に、送信先アドレス（画像受信装置５_2宛）に代えて回収する文書についての送信元アドレス（画像送信装置３_2宛）を記憶する。また、画像受信装置５_2は、文書を配布した後には、第２のアドレス管理テーブルTB_2の情報を画像送信装置３_2に通知し、画像送信装置３_2にて記憶するようにする。
【０２５０】
前記実施形態において、第１エリア８_1側の装置（画像送信装置３_1，画像送受信装置７_1）において第１のアドレス管理テーブルTB_1にて、識別情報ＵＩＤ_1と送信先アドレス情報（画像受信装置５Ａ_2，画像送受信装置７Ａ_2宛の情報、画像中継装置４宛の情報）を管理しているが、このことは必須ではない。印刷済みの管理もしないのであれば、第１のアドレス管理テーブルTB_1の管理が一切不要となる。
【０２５１】
ただし、第１エリア８_1側（会社側画像入出力装置７１）で識別情報ＵＩＤ_1と送信先アドレス情報を管理した場合、第２エリア８_2側（スポット側画像入出力装置７２、画像中継装置４を介する場合も含む）から戻ってきた文書が自分が送信したものかどうかの判定、自分が送信した相手からの文書かの判定、印刷文書の管理を行なうこと、などが考えられる。たとえば、会社側で印刷した文書を管理するためのデータベースとして第１のアドレス管理テーブルTB_1を構築し、最終的に識別情報ＵＩＤ_1のみを含んだ幾何学コードを付けて印刷しておき、それ以降その印刷データを読み取ったときに、何時のアンケートかを管理するために利用することことが考えられる。
【０２５２】
前記実施形態において、幾何学コードから取り除くセキュリティ情報としては送信先や送信元や中継先（中継元）のアドレス情報を例に説明したが、これは一例に過ぎない。種々の情報をアドレス情報と同じように幾何学コードに埋め込むことが想定される。たとえば、特定の送信元からしか受け付けたくない場合や、相手の身元確認が必要な機密情報が記載された文書を配布・回収するケースでは、会社名・住所・連絡先・アドレスにアクセスするためのログイン名やパスワードなどを埋め込むことが考えられる。たとえば、幾何学コードに会社Ａの会社名コードを埋め込んでおけば、スポット側はＡ社からしか受け付けないようにすることが考えられる。また、スポット側から、認証が必要な会社Ａのサーバに送信する場合、Ａ社から受信した文書内の幾何学コードから取得したログイン名・パスワードを使用してアクセスすることが考えられる。
【０２５３】
前記実施形態では、画像送信装置３と画像受信装置５を分けて設ける場合に、それらを同一通信網９で接続された同一エリア（同一領域）に配置しているが、このことは必須でない。つまり、画像送信装置３と画像受信装置５を別の装置として動作させるのであれば、Ａ社の画像送信装置３_1と画像受信装置５_1を異なる通信網に設置した構成での動作例も適用し得る。たとえば、画像送信装置３は会社Ａが属する第１通信網９_1に接続するが、画像受信装置５_1は第１通信網９_1外の公共通信網のどこかに存在させてもよい。
【０２５４】
前記実施形態では、第２エリア８_2側にて文書を用紙に印刷して配布する場合で説明したが、第２エリア８_2側における配布・回収では、電子媒体（つまり画像データのまま）により配布し、その後に、用紙または電子媒体で回収するものであってもよい。
【０２５５】
前記実施形態では、文書を配信するだけでなく回収する双方向サービス（文書配布・回収システム）での適用例について述べたが、「双方向」である必要はない。「片方向」であっても、送信先のアドレス設定操作を簡便にするために、送信先のアドレスを幾何学コードに記録して文書に添付して読み取り、その読み取った画像中の幾何学コードに記録されたアドレス情報から送信先を特定し、画像をその送信先へ送信する場合があるが、この場合でも、前記実施形態の仕組みは有効に機能する。受信（第２エリア８_2）側における文書の出力時には、送信先の情報を幾何学コードから取り除くため、画像情報を受信した側で符号画像を含む画像情報を出力媒体に出力する場合でも、送信先（つまり受信側）における、画像の送信先を示す情報の漏洩が防止されるからである。
【符号の説明】
【０２５６】
１…画像伝送システム、３…画像送信装置、４…画像中継装置、５…画像受信装置、７…画像送受信装置、７１…会社側画像入出力装置、７２…スポット側画像入出力装置、９…通信網、３１０，７１０…画像読取部、３２０，４２０，５２０，７２０…幾何学コード処理部、３２２，４２２，５２２，７２２…幾何学コード抽出部、３２４，４２４，５２４，７２４…幾何学コード解析部、３２６，４２６，５２６，７２６…幾何学コード消去部、３２８，４２８，５２８，７２８…幾何学コード生成部、３４０，４４０，５４０，７４０…アドレス管理部、３４２，４４２，５４２，７４２…識別情報処理部、３４４，４４４，５４４，７４４…管理テーブル格納部、３４６，７４６…中継先アドレス格納部、３５０，４５０，５５０，７５０…画像編集部、３６０，４６０，５６０，７６０…通信処理部、３６２，４６２，５６２，７６２…通信インタフェース部、３６４，４６４，７６４…送信部、４６６，５６６，７６６…受信部、５７０，７７０…画像出力部
【図１】
2010212924.tif 000003
【図２】
2010212924.tif 000004
【図３】
2010212924.tif 000005
【図４】
2010212924.tif 000006
【図５】
2010212924.tif 000007
【図５Ａ】
2010212924.tif 000008
【図５Ｂ】
2010212924.tif 000009
【図５Ｃ】
2010212924.tif 000010
【図５Ｄ】
2010212924.tif 000011
【図６】
2010212924.tif 000012
【図６Ａ】
2010212924.tif 000013
【図６Ｂ】
2010212924.tif 000014
【図７】
2010212924.tif 000015
【図７Ａ】
2010212924.tif 000016
【図８】
2010212924.tif 000017
【図９】
2010212924.tif 000018
【図１０】
2010212924.tif 000019
【図１１】
2010212924.tif 000020
【図１１Ａ】
2010212924.tif 000021
【図１２】
2010212924.tif 000022
【図１２Ａ】
2010212924.tif 000023
【図１２Ｂ】
2010212924.tif 000024
【図１２Ｃ】
2010212924.tif 000025
【図１２Ｄ】
2010212924.tif 000026
【図１３】
2010212924.tif 000027
【図１３Ａ】
2010212924.tif 000028
【図１３Ｂ】
2010212924.tif 000029
【図１４】
2010212924.tif 000030
【図１４Ａ】
2010212924.tif 000031
【図１５】
2010212924.tif 000032